(57)【要約】      （修正有）【課題】単一光導波路の表面から複数の異なる色を有する画像の放射を可能にするシステムまたはプロセスを提供する。【解決手段】ディスプレイ機器構成要素は、表面を有する光導波路１０と、光導波路の表面の一部分上に形成された第１の材料４０と、第１の材料の一部分上に形成された第２の材料５０と、を含む。第１の材料は、光散乱性を有する。【選択図】図６
2019008284.tif 000002
【特許請求の範囲】
【請求項１】
ディスプレイ機器構成要素であって、
表面を有する光導波路と、
前記光導波路の前記表面の一部分上に形成された第１の材料と、
前記第１の材料上に形成された第２の材料と、を備え、
前記第２の材料が、光散乱性を有する、ディスプレイ機器構成要素。
【請求項２】
前記光導波路の前記表面の一部分上に形成された第３の材料をさらに備え、前記光導波路の前記表面の一部分上に形成された前記第１の材料を有する前記光導波路の前記表面の前記一部分が、前記光導波路の前記表面の前記一部分上に形成された前記第３の材料を有する前記光導波路の前記表面の前記一部分とは異なり、前記第２の材料が、前記第３の材料から形成される、請求項１に記載のディスプレイ機器構成要素。
【請求項３】
ディスプレイ機器構成要素であって、
表面を有する光導波路と、
前記光導波路の前記表面の一部分上に形成された第１の材料と、
前記第１の材料の一部分上に形成された第２の材料と、を備え、
前記第２の材料が、その中に埋め込まれた光散乱粒子を有する、ディスプレイ機器構成要素。
【請求項４】
前記光導波路の前記表面の一部分上に形成された第３の材料をさらに備え、前記光導波路の前記表面の一部分上に形成された前記第１の材料を有する前記光導波路の前記表面の前記一部分が、前記光導波路の前記表面の前記一部分上に形成された前記第３の材料を有する前記光導波路の前記表面の前記一部分とは異なる、請求項３に記載のディスプレイ機器構成要素。
【請求項５】
光波上に印刷された画像の画像特定照明を可能にするディスプレイ機器構成要素を製造するためのプロセスであって、
（ａ）表面を有する光導波路の一部分上に第１の材料を形成することと、
（ｂ）前記第１の材料上に第２の材料を形成することであって、前記第２の材料が、光散乱性を有する、形成することと、を含む、プロセス。
【請求項６】
前記光導波路が、第１の屈折率を有し、前記第１の材料が、第２の屈折率を有し、前記第１の屈折率が、前記第２の屈折率に実質的に等しい、請求項５に記載のプロセス。
【請求項７】
前記第２の材料が、第３の屈折率を有し、前記第２の屈折率が、前記第３の屈折率に実質的に等しい、請求項６に記載のプロセス。
【請求項８】
光波上に印刷された画像の画像特定照明を可能にするディスプレイ機器構成要素を製造するためのプロセスであって、
（ａ）表面を有する光導波路の一部分上に第１の材料を形成することと、
（ｂ）第１の材料上に第２の材料を形成することであって、前記第２の材料が、その中に埋め込まれた光散乱粒子を有する、形成することと、を含む、プロセス。
【請求項９】
ディスプレイ機器構成要素であって、
表面を有する光導波路と、
前記光導波路の前記表面に接着された除去可能な透明層と、
前記除去可能な透明層の一部分上に形成された第１の材料と、
前記第１の材料上に形成された第２の材料と、を備え、
前記第２の材料が、その中に埋め込まれた光散乱粒子を有する、ディスプレイ機器構成要素。
【請求項１０】
光導波路に接着された画像の画像特定照明を可能にするディスプレイ機器構成要素を製造するためのプロセスであって、
（ａ）除去可能な透明媒体の一部分上に第１の材料を形成することと、
（ｂ）前記第１の材料上に第２の材料を形成することであって、前記第２の材料が、その中に埋め込まれた光散乱粒子を有する、形成することと、
（ｃ）前記除去可能な透明媒体を光導波路の表面に接着することと、を含む、プロセス。
【発明の詳細な説明】
【背景技術】
【０００１】
様々な透明材料が、光の内部全反射のための光導波路として従来から使用されている。このような光導波路の例は、光ファイバ及びアクリルまたはガラスシートである。
【０００２】
しかしながら、内部全反射は、光媒体（光導波路）の表面内の刻印マークによって画像状基準上で「フラストレート」され得、このため内部反射光が、部分的に外部に屈折し、光導波路を漏れ出る。光媒体の表面内の刻印マークは、画像が空間内で「浮遊する」ように見える様々な光学的サインの生産を可能にする。
【発明の概要】
【０００３】
図１は、一片のアクリル１０が光源（ＬＥＤ）２０を有するエッジ点灯されている、従来のエッジ点灯サインを示す。光は、アクリル１０と空気との間の境界角（図２に例示されるように）を導く刻印領域（１１、１２、及び１３）に光が衝突する場所を除いてアクリル１０内で内部反射される。刻印プロセスによって形成された境界角は、内部反射を「フラストレート」し、光がこれらの点（１１、１２、及び１３）においてアクリル１０を漏れ出ることを可能にする。この種類の撮像の効果は、光が、刻印画像（１１、１２、及び１３）内で生じるように見えるので目立つものである。
【０００４】
図２に例示されるように、光源からの光２５は、それが、刻印区分１１に衝突するまで光導波路１０内で全反射される。刻印区分１１において、光２５の一部分は、フラストレートされ、漏れ出た光２７として光導波路の外に屈折される。刻印区分１１でのこの屈折は、光が、刻印画像区分１１内で生じるように見えることを引き起こす。
【０００５】
しかしながら、この手法に対し欠点が存在する。第１に、光の色が照明源の色であるので、画像が単色になる傾向がある。
【０００６】
この制限は、図３に例示されるように、各々が、特定色と関連する画像（１１、１２５、及び１３５）によってエッチングされ、その色の光源（２０、２２、及び２４）によって照明された、数片のアクリルまたは光導波路（１０、１６、及び１８）を使用することによって克服され得る。
【０００７】
この解決策は、複雑であり、数片のエッチングされた光導波路及び数個のエッジ照明源を必要とする。
【０００８】
第２の欠点は、レーザ刻印機械が、ラスタ化されたハーフトーンパターンではなく、線を描画することである。したがって、レーザ刻印は、刻印を線画に制限し、ハーフトーン化を提供することができる濃淡レベル及び／または濃度レベルを提供することができない。
【０００９】
レーザ刻印を利用することの第３の欠点は、一度画像が刻印されると、光導波路を他の画像のために再使用することができないことである。
【００１０】
したがって、単一光導波路の表面から複数の異なる色を有する画像の放射を可能にするシステムまたはプロセスを提供することが望ましい。
【００１１】
単一光導波路の表面から可変濃淡レベルまたは可変光密度レベルを有する画像の放射を可能にするシステムまたはプロセスを提供することがさらに望ましい。
【００１２】
他の画像を放射するために光導波路の再使用性を維持しつつ、単一光導波路の表面から複数の異なる色を有する画像の放射を可能にするシステムまたはプロセスを提供することがまた望ましい。
【００１３】
他の画像を放出するために光導波路の再使用性を維持しつつ、単一光導波路の表面から可変濃淡レベルまたは可変光密度レベルを有する画像の放射を可能にするシステムまたはプロセスを提供することが加えて望ましい。
【図面の簡単な説明】
【００１４】
【図１】従来の刻印光導波路ディスプレイシステムを例示する。
【図２】図１の従来の刻印光導波路ディスプレイシステムの刻印エリアを例示する。
【図３】従来の複数色刻印光導波路ディスプレイシステムを例示する。
【図４】屈折のスネルの法則の説明図である。
【図５】２つの媒体間の境界における光の屈折を例示する。
【図６】画像を表示するためにマーキング材料を利用する光導波路ディスプレイシステムを例示する。
【図７】図６のマーキング材料を利用する光導波路ディスプレイシステムの散乱特性及び屈折特性を例示する。
【図８】画像を表示するために粗面を有するマーキング材料を利用する光導波路ディスプレイシステムを例示する。
【図９】図８のマーキング材料を利用する光導波路ディスプレイシステムの屈折特性を例示する。
【図１０】図６の光導波路を通って進む光のための様々な光路に対する角度値を示す表である。
【図１１】図８の光導波路を通って進む光のための様々な光路に対する角度値を示す表である。
【図１２】単一光導波路の表面から複数の異なる色を有する画像を表示する光導波路ディスプレイシステムを例示する。
【図１３】光導波路であって、その上に前側画像及び後側画像を有する、光導波路を例示する。
【図１４】光導波路であって、その上に前側画像及び後側画像を有する、光導波路の別の実施形態を例示する。
【図１５】光導波路であって、その上に前側画像及び後側画像を有する、光導波路の追加の実施形態を例示する。
【図１６】光導波路であって、その上に前側画像及び後側画像を有する、光導波路の更なる実施形態を例示する。
【図１７】３次元画像を表示する光導波路ディスプレイシステムを例示する。
【図１８】画像及び白色の背景を作成するためにマーキング材料を利用する光導波路を例示する。
【図１９】透明媒体上に事前印刷された粗面を有するマーキング材料を利用する光導波路を例示する。
【図２０】透明媒体上に事前印刷されたマーキング材料を利用する光導波路を例示する。
【図２１】光導波路であって、その上に前側粗面画像及び後側２層マーキング材料画像を有する、光導波路を例示する。
【図２２】画像を表示する光導波路ディスプレイシステムであって、その中に単一光導波路の表面からの白色の背景及び有色または黒色の画像を有する、光導波路ディスプレイシステムを例示する。
【図２３】白色のマーキング材料を使用して印刷された、単一光導波路の表面からの黒色及び白色の画像を表示する光導波路ディスプレイシステムを例示する。
【図２４】エッジ照明された３次元画像／物体ディスプレイを作成する複数光導波路を例示する。
【図２５】３次元物体上に印刷するように構成された代表的印刷システムを例示する。
【図２６】印刷ヘッドの配列を通り過ぎる物体の運動を可能にする二重支持部材を使用する図２５の印刷システムの他の実施形態を例示する。
【図２７】印刷ヘッドの配列を通り過ぎる物体の運動を可能にする二重支持部材を使用する図２５の印刷システムの他の実施形態を例示する。
【図２８】図２６または図２７に示される実施形態のうちの１つが設置され得るキャビネットを例示する。
【図２９】図２６または図２７に示される物体ホルダ及び可動装着部材を例示する。
【図３０】図２６または図２７に示される物体ホルダ及び可動装着部材を例示する。
【図３１】図２６または図２７に示される物体ホルダ及び可動装着部材を例示する。
【図３２】図２６または図２７に示される物体ホルダ及び可動装着部材を例示する。
【図３３】異なる種類の物体を保持するための図２６または図２７に示される物体ホルダの様々な構成を例示する。
【図３４】異なる種類の物体を保持するための図２６または図２７に示される物体ホルダの様々な構成を例示する。
【図３５】異なる種類の物体を保持するための図２６または図２７に示される物体ホルダの様々な構成を例示する。
【図３６】異なる種類の物体を保持するための図２６または図２７に示される物体ホルダの様々な構成を例示する。
【図３７】異なる種類の物体を保持するための図２６または図２７に示される物体ホルダの様々な構成を例示する。
【図３８】異なる種類の物体を保持するための図２６または図２７に示される物体ホルダの様々な構成を例示する。
【図３９】異なる種類の物体を保持するための図２６または図２７に示される物体ホルダの様々な構成を例示する。
【図４０】異なる種類の物体を保持するための図２６または図２７に示される物体ホルダの様々な構成を例示する。
【図４１】異なる種類の物体を保持するための図２６または図２７に示される物体ホルダの様々な構成を例示する。
【図４２】製造環境において有用である印刷システムの実施形態を例示する。
【図４３】システムの構成を検証するために媒体シートがテストパターンによって印刷されることを可能にする図２５の印刷システム内の物体ホルダの実施形態を例示する。
【図４４】システムの構成を検証するためにテストパターンが部材の表面上に印刷されることを可能にするように図２５の印刷システム内の物体ホルダに選択的に取り付け可能である部材の実施形態を例示する。
【図４５】粗切断エッジを有する従来の光導波路を例示する。
【図４６】平滑な光導波路光源境界を作成するためにマーキング材料によって平滑化された従来の粗切断エッジを有する光導波路を例示する。
【図４７】平滑な光導波路面を作成するためにマーキング材料によって平滑化された従来の刻印画像を有する光導波路を例示する。
【００１５】
図面の詳細な説明
概略的理解のために、図面の参照がなされる。図面において、いくつかの事例では、同様の参照が同一または等しい要素を示すために全体を通して使用されている。図面が正確な縮尺で描画されていない場合があり、一定の領域が、特徴及び概念が適切に例示され得るために、故意に不均衡に描画されている場合があることがまた留意される。
【００１６】
上記のように、光導波路は、画像を表示する媒体を提供するために利用されている。画像の表示は、スネルの法則の原理を利用する。
【００１７】
スネルの法則によると、臨界角は、屈折角が９０°である入射角である。入射角は、図４に例示されるように、屈折境界において法線（ｚ軸）に対して測定される。
【００１８】
図４に例示されるように、光線は、ガラス（ｎ１）から空気（ｎ２）内に通過する。境界（ｘ軸）から放射する光は、ガラス（ｎ１）の方に曲げられる（角度θｔ）。入射角（角度θｉ）が十分に大きくなると、伝達角（空気内）は、９０度に達する。この地点において光は、空気内に伝達されない。臨界角θｃは、スネルの法則によって与えられる。
【００１９】
【数１】
2019008284.tif 000003
【００２０】
屈折が起こらない入射角を判定するために、スネルの法則が以下のように再編成される。
【００２１】
【数２】
2019008284.tif 000004
【００２２】
臨界角を見つけるために、θｔ＝９０°のときのθｉに対する値を求め、したがって、以下のようになる。
【００２３】
【数３】
2019008284.tif 000005
【００２４】
結果としてθｉの値は、臨界角θｃに等しくなる。
【００２５】
θｉを求めることで、臨界角の方程式は、以下のようになる。
【００２６】
【数４】
2019008284.tif 000006
【００２７】
入射光線が正確に臨界角θｃである場合、屈折光線は、入射地点（図４のｘ軸）において境界の接線になる。
【００２８】
例えば、光がアクリルまたはガラス等の光導波路（１．５５の屈折率を有する）を通って空気（１．００の屈折率を有する）内に進んだ場合、計算は、光導波路から空気内への光に対する臨界角を以下のように与えることになる。
【００２９】
【数５】
2019008284.tif 000007
【００３０】
この例において、法線（図４のｚ軸）に対して、境界（図４のｘ軸）上で４１．８°未満の角度を有する光の入射は、部分的に伝達されることになるが、一方で法線（図４のｚ軸）に対して、境界上でより大きな角度における光の入射は、内部全反射されることになる。
【００３１】
分数ｎ２／ｎ１が１よりも大きい場合、アークサインが画定されず、その内部全反射が非常に浅いまたはかする程度の入射角でさえ生じないことを意味する。臨界角は、ｎ２／ｎ１が１以下であるときのみ画定される。
【００３２】
図５は、２つの媒体（空気及び水）の間の境界における光の屈折の別の例を示す。図５に例示されるように、水から空気に進む光の入射角θ１が臨界角θｃ未満であるとき、光は、角度θ２で屈折される。一方で、図５に例示されるように、水から空気に進む光の入射角θ１が臨界角θｃであるとき、光は、水／空気境界に対して平行に進むように屈折される。最後に、図５に例示されるように、水から空気に進む光の入射角θ１が臨界角θｃよりも大きいとき、光は、入射光の内部全反射を引き起こすように角度θ２で反射される。
【００３３】
従来の透明媒体（光導波路）上の画像の刻印に対する代替は、印刷システムを使用して、液体インク、紫外線硬化インク、トナー、固体インク等のマーキング材料によって透明媒体（光導波路）上に直接印刷することである。
【００３４】
以下に説明される様々な実施形態において、周囲の媒体（空気等）とは著しく異なる屈折率を有する光導波路が利用される。例えば、約１．５の屈折率を有するアクリル製の光導波路が、周囲の媒体が約１の屈折率を有する空気であるときに利用され得る。
【００３５】
さらに、以下に説明される様々な実施形態において、光導波路の屈折率に実質的に等しい屈折率を有するマーキング材料が利用される。
【００３６】
例えば、約１．４の屈折率を有するマーキング材料が、下にある光導波路が約１．５の屈折率を有するときに利用され得る。
【００３７】
上述された例を考慮すると、入射光が光導波路と空気との境界で内部全反射されるが、光導波路とマーキング材料との境界で部分的に外部に屈折されることを引き起こす、光入射（ＬＥＤ光源から放射する光等）の一定の角度が存在する。
【００３８】
屈折率におけるこれらの差は、マーキング材料が存在しない領域内で光導波路内での入射光の閉じ込め、一方でマーキング材料が存在する領域内で光の放出を可能にする。
【００３９】
マーキング材料に入る光を有することに際して、画像の照明を認識するために、光またはその一部分は、光がマーキング材料と空気との境界で内部全反射されることを防止するためにマーキング材料を出なければならない。
【００４０】
より具体的には、マーキング材料の上面が平滑である場合、マーキング材料と空気との境界における入射角は、光がマーキング材料内で内部全反射し、空気内かつ観察者の方に放出されないようにする。
【００４１】
光がマーキング材料を出ることを可能にするようにマーキング材料と空気との境界で光の屈折を可能にするために、図６は、白色のマーキング材料４０が光導波路１０の観察３０表面上に印刷される、光導波路１０を例示する。その後、別の（有色の）マーキング材料５０が白色のマーキング材料４０の上面上に印刷される。
【００４２】
マーキング材料４０は、光散乱性またはその中に埋め込まれた光散乱粒子を有する透明マーキング材料であり得ることが留意される。
【００４３】
マーキング材料４０が光散乱性を有するかまたはその中に埋め込まれた光散乱粒子を有し、このため光源２０からの入射光が、複数角度で散乱され、このため散乱光の角度のうちの少なくとも１つが臨界角未満の角度でマーキング材料と空気との境界上への入射であることになり、このため光が空気内へマーキング材料５０を出得ることがさらに留意される。
【００４４】
白色のマーキング材料４０の屈折率が光導波路１０の屈折率に実質的に等しく、このため光が光導波路１０を出て白色のマーキング材料４０を貫通することになることが留意される。
【００４５】
白色のマーキング材料４０は、入ってくる光が全方向に散乱することを引き起こし、このいくつかが白色のマーキング材料４０を出て、白色のマーキング材料４０の屈折率がマーキング材料５０の屈折率に実質的に等しいのでマーキング材料５０を通って直線に進むことになる。入射角に基づいて、マーキング材料５０に入る光のいくつかは、マーキング材料と空気との境界で外部に屈折し、観察者３０の方に進むことになる。
【００４６】
図７は、図６の印刷された光導波路１０内の光の経路の説明図である。図７に示されるように、入射光２５は、光導波路１０内で内部反射される。光導波路と白色のマーキング材料との境界において、白色のマーキング材料４０の屈折率が光導波路１０の屈折率に実質的に等しいので、入射光２５は、光導波路１０を出て白色のマーキング材料４０を貫通することになる。
【００４７】
埋め込み済み散乱粒子４５に衝突することに際して、入射光２５は、散乱光２６を作成するように複数角度で散乱される。白色のマーキング材料とマーキング材料との境界において、白色のマーキング材料４０の屈折率がマーキング材料５０の屈折率に実質的に等しいので、散乱光２６は、白色のマーキング材料４０を出てマーキング材料５０を貫通することになる。
【００４８】
マーキング材料と空気との境界において、マーキング材料５０の屈折率が空気の屈折率とは実質的に異なるので、光２７（屈折された）は、散乱光２６の入射角がマーキング材料と空気との境界の臨界角未満であるとき、空気内へマーキング材料５０を出ることになる。
【００４９】
さらに、光がマーキング材料を出ることを可能にするようにマーキング材料と空気との境界での光の屈折を可能にするために、図８は、（有色の）マーキング材料５０が光導波路１０の観察３０表面上に印刷されている、光導波路１０の別の例を例示する。この実施形態において、マーキング材料５０の上面５５が、上面５５が粗く、刻印表面を模倣するように形成される。
【００５０】
マーキング材料５０の屈折率が光導波路１０の屈折率に実質的に等しく、このため光源２０からの光が光導波路１０を出てマーキング材料５０を貫通することになることが留意される。
【００５１】
したがって、マーキング材料と空気との境界の粗面と相互作用する光の入射角に基づいて、マーキング材料５０に入る光のいくつかは、マーキング材料と空気との境界で外部に屈折して観察者３０の方に進むことになる。
【００５２】
図９は、図８の印刷された光導波路１０内の光の経路の説明図である。図９に示されるように、入射光２５は、光導波路１０内で内部反射される。
【００５３】
光導波路とマーキング材料との境界において、マーキング材料５０の屈折率が光導波路１０の屈折率に実質的に等しいので、入射光２５は、光導波路１０を出てマーキング材料５０を貫通することになる。
【００５４】
マーキング材料と空気との境界において、マーキング材料５０の屈折率が空気の屈折率とは実質的に異なるので、光２７（屈折された）は、光２５の入射角がマーキング材料と空気との境界の衝突表面の臨界角未満であるとき、空気内へマーキング材料５０を出ることになる。
【００５５】
図１０は、図６及び７に例示されるように、光導波路を通る様々な光路の概要を提供する表である。より具体的には、光路は、光が照明源（ＬＥＤ）から左に光導波路に入るように画定される。
【００５６】
光は、その後、空気と光導波路との境界で屈折され、全角度に対して複数の光導波路と空気との境界で内部反射される。光は、いくつかの角度に対して、光導波路と白色のマーキング材料との境界で部分的に外部に屈折され、白色のマーキング材料内の散乱粒子によって散乱される。
【００５７】
散乱光は、有色のマーキング材料を通って直線に進み（マーキング材料が類似の屈折率を有するので）、その後、有色のマーキング材料と空気との境界で多くの入射角を作成した散乱により、光の大部分が有色のマーキング材料を出て観察者の方に進む。
【００５８】
図１０に示されるように、左端で、光は、０〜９０度の範囲の入射角θｉで光導波路に入る（例えば、ＬＥＤから）。示された屈折角θｒ１は、スネルの法則に基づいて計算される。θｒ１経路に沿う光線は、光導波路と空気との境界に衝突し、それにより、全ての考えられるθｒ１について、光は、光導波路内で内部全反射されることになる（破線の範囲６１内で＃ＮＵＭ！によって示される）。値、＃ＮＵＭ！は、屈折光線に対する解が存在しないことを示す。
【００５９】
光導波路内で前後に振動した後、光線は、光導波路と空気との境界に衝突したときと同一角度で光導波路と白色のマーキング材料との境界に衝突することになる。
【００６０】
しかしながら、空気（１．０）と白色のマーキング材料（例えば、１．４）との間の屈折率の差及び入射角への依存により、光のいくつかは、光導波路内で内部反射される代わりに白色のマーキング材料内へ外部に屈折される。図１０の破線の範囲６２内のセルは、光導波路と空気との境界で完全に内部反射され、かつ光導波路と白色のマーキング材料との境界で部分的に外部に屈折されることになる光線を識別する。したがって、光は、白色のマーキング材料に入ることになる。
【００６１】
白色のマーキング材料が光を様々な角度で散乱するので、これらの散乱光線は、その後、有色のマーキング材料及び白色のマーキング材料が類似の屈折率を有するので、有色のマーキング材料を通って直接進む。有色のマーキング材料と空気との境界上の多くの入射角によって、多くの光線が内部反射されないことになり、外部に屈折されて観察者によって観察されることになる。
【００６２】
図１１は、図８及び９に例示されるように、光導波路を通る様々な光路の概要を提供する表である。より具体的には、光路は、光が照明源（ＬＥＤ）から左に光導波路に入るように画定される。光は、その後、空気と光導波路との境界で屈折され、全角度に対して複数の光導波路と空気との境界で内部反射される。光は、いくつかの角度に対して光導波路とマーキング材料との境界で部分的に外部に屈折される。
【００６３】
外部への屈折光は、マーキング材料を通って進み、その後、マーキング材料が粗面を有するので、マーキング材料と空気との境界での多くの入射角を作成し、光の大部分は、マーキング材料を出て観察者の方に進む。
【００６４】
図１１に示されるように、左端で、光は、０〜９０度の範囲の入射角θｉで光導波路に入る（例えば、ＬＥＤから）。示された屈折角θｒ１は、スネルの法則に基づいて計算される。θｒ１経路に沿う光線は、光導波路と空気との境界に衝突し、それにより、全ての考えられるθｒ１について、光は、光導波路内で内部全反射されることになる（破線の範囲６３内で＃ＮＵＭ！によって示される）。値、＃ＮＵＭ！は、屈折光線に対する解が存在しないことを示す。
【００６５】
光導波路内で前後に振動した後、光線は、光導波路と空気との境界に衝突したときと同一角度で光導波路とマーキング材料との境界に衝突することになる。
【００６６】
しかしながら、空気（１．０）とマーキング材料（例えば、１．４）との間の屈折率の差及び入射角への依存により、光のいくつかは、光導波路内で内部反射される代わりにマーキング材料内へ外部に屈折される。
【００６７】
図１１の破線の範囲６４内のセルは、光導波路と空気との境界で完全に内部反射され、かつ光導波路とマーキング材料との境界で部分的に外部に屈折されることになる光線を識別する。したがって、光は、マーキング材料に入ることになる。
【００６８】
マーキング材料が粗面を有するので、様々な入射角を生じさせる。マーキング材料と空気との境界上の多くの入射角によって、多くの光線が内部反射されないことになり、外部に屈折されて観察者によって観察されることになる。
【００６９】
言い換えると、マーキング材料の上面が平滑である場合、マーキング材料に入る光の全てがマーキング材料と空気との境界で内部全反射されることになる。しかしながら、入射角が表面粗さによって変更される場合、光は、マーキング材料を漏れ出ることになる。
【００７０】
図１１に例示されるように、マーキング材料と空気との境界に衝突する光線（破線の範囲６５内のセル）の入射角は、表面粗さの効果を定量化する。
【００７１】
したがって、表面粗さは、光のいくつかがマーキング材料と空気との境界で外部に屈折され、観察者の方にマーキング材料を出ることを引き起こす。
【００７２】
破線の範囲６５のこれらのセルは、表にわたって追跡され得、ＬＥＤからの一定入射角で始まり、マーキング材料が存在しない場所で内部反射され、マーキング材料内に屈折し、その後、表面粗さによってマーキング材料の外に屈折する。
【００７３】
印刷マーキング材料の表面粗さは、ハーフトーン化を通して改良され得ることが留意される。
【００７４】
図１２は、光導波路１０が、光源２０によって照明されたとき、印刷画像１１０、１１２０、及び１１３を表示する、光導波路ディスプレイシステムを例示する。画像１１０、１１２０、及び１１３が光導波路１０上に印刷されるので、画像は、異なる色であり得、それらの色を画定するために光源２０の色に依存しない。
【００７５】
さらに、画像１１０、１１２０、及び１１３は、図６及び７の二重マーキング材料構造または図８及び９の粗面構造を有するマーキング材料を備え得る。
【００７６】
図１３は、光導波路１０が、光源２０によって照明されたとき、光導波路１０の両側面上に印刷された画像を表示する、光導波路ディスプレイシステムを例示する。画像が光導波路１０の両側面上に印刷されるので、画像は、観察者側３０に対して光導波路１０の表面側に依存して異なって構築される。
【００７７】
図１３に例示されるように、光導波路１０（観察者側３０）の前面上で、画像は、図６に例示されたものと同一様式で構築され、白色のマーキング材料４０が光導波路１０の前面上に印刷され、マーキング材料５０の印刷が後に続く。
【００７８】
光導波路１０の前面上の画像が光源２０によって照明されるとき、印刷画像（４０及び５０）は、観察者３０によって観察される。
【００７９】
図１３にさらに例示されるように、光導波路１０の後面上で、画像は、異なる様式で構築され、マーキング材料５５が光導波路１０の後面上に印刷され、白色のマーキング材料４５の印刷が後に続く。
【００８０】
光導波路１０の後面上の画像が光源２０によって照明されるとき、印刷画像（４５及び５５）は、観察者３０によって観察される。
【００８１】
光導波路１０の厚さは、異なる深さで画像が提示されるような厚さであり得、これによって、１つの画像がもう１つの画像の前で浮遊しているように見えるようにすることが留意される。
【００８２】
図１４は、光導波路１０が、光源２０によって照明されたとき、光導波路１０の両側面上に印刷された画像を表示し、かつ両方の観察者側（３０及び３１）から観察され得る、光導波路ディスプレイシステムを例示する。この実施形態において、画像は、同一構造を使用して光導波路１０の両側面上に印刷される。
【００８３】
図１４に例示されるように、光導波路１０（観察者側３０）の前面上で、画像は、光導波路１０の前面上に印刷される白色のマーキング材料４０で構築される。
【００８４】
光導波路１０の前面上の画像が光源２０によって照明されるとき、光導波路１０の前面上の印刷画像４０は、観察者３０及び観察者３１によって観察される。
【００８５】
図１４にさらに例示されるように、光導波路１０の後面上で、画像はまた、光導波路１０の後面上に印刷される白色のマーキング材料４５で構築される。
【００８６】
光導波路１０の後面上の画像が光源２０によって照明されるとき、光導波路１０の後面上の印刷画像４５は、観察者３０及び観察者３１によって観察される。
【００８７】
光導波路１０の厚さは、異なる深さで画像が提示されるような厚さであり得、これによって、１つの画像がもう１つの画像の前で浮遊しているように見えるようにすることが留意される。
【００８８】
図１５は、光導波路１０が、光源２０によって照明されたとき、光導波路１０の両側面上に印刷された画像を表示し、かつ一方の観察者側のみが両方の画像を観察することができる、光導波路ディスプレイシステムを例示する。この実施形態において、画像は、異なる構造を使用して光導波路１０の両側面上に印刷される。
【００８９】
図１５に例示されるように、光導波路１０（観察者側３０）の前面上で、画像は、図６に例示されたものと同一様式で構築され、白色のマーキング材料４０が光導波路１０の前面上に印刷され、マーキング材料５０の印刷が後に続く。
【００９０】
光導波路１０の前面上の画像が光源２０によって照明されるとき、印刷画像（４０及び５０）は、観察者３０によってのみ観察され得る。
【００９１】
図１５にさらに例示されるように、光導波路１０の後面上で、画像はまた、光導波路１０の後面上に印刷される白色のマーキング材料４５で構築される。
【００９２】
光導波路１０の後面上の画像が光源２０によって照明されるとき、光導波路１０の後面上の印刷画像４５は、観察者３０及び観察者３１によって観察され得る。
【００９３】
言い換えると、図１５の実施形態は、両方の画像が観察者３０によって観察されることを可能にするが、観察者３１は、光導波路１０の前面上の画像を観察することができない。
【００９４】
さらに図１５に例示されるように、光導波路１０の前面上に印刷された画像は、白色の背景を有する有色画像であり得、それは、観察者３０によって有色画像としてのみ観察可能である。一方で、光導波路１０の後面上に印刷された画像は、単色画像であり、観察者３０及び観察者３１によって観察可能である。
【００９５】
光導波路１０の厚さは、異なる深さで画像が提示されるような厚さであり得、これによって、１つの画像がもう１つの画像の前で浮遊しているように見えるようにすることが留意される。
【００９６】
図１６は、光導波路１０が、光源２０によって照明されたとき、光導波路１０の両側面上に印刷された画像を表示する、光導波路ディスプレイシステムを例示する。この実施形態において、画像は、異なる構造を使用して光導波路１０の両側面上に印刷される。
【００９７】
図１６に例示されるように、光導波路１０（観察者側３０）の前面上で、画像が構築され、マーキング材料５０が光導波路１０の前面上に印刷される。
【００９８】
図１６にさらに例示されるように、光導波路１０の後面上で、画像はまた、光導波路１０の後面上に印刷される白色のマーキング材料４５で構築される。
【００９９】
光導波路１０の前面上の画像は、単独で観察可能ではない。後側の画像は、パネルを通して観察者３０によって観察可能である。
【０１００】
図１６に例示されるように、前画像は、白色の背景がない有色画像であり得る。有色画像は、散乱が存在しないので、一般的に単独で観察可能ではない。後側の画像は、白色のマーキング材料４５と共に作成された単色画像であり、観察者３０及び観察者３１によって観察可能である。
【０１０１】
前画像及び後画像が共に組み合わされるとき、前側の画像は、後側の画像（白色のマーキング材料４５）が散乱光を提供するとき、観察者３０の方向で観察可能になる。
【０１０２】
光導波路１０の後面上の画像が光源２０によって照明されるとき、光導波路１０の後面上の印刷済み画像４５は、観察者３０及び観察者３１によって観察され得る。
【０１０３】
後側画像が光導波路１０を通して観察可能であるべきことが留意される。前側画像は、散乱する観察可能な画像または透明な観察不可能な画像であり得る。
【０１０４】
前側画像は、後側画像のための十分な透明観察エリアが存在するように、薄いものであり得る。
【０１０５】
光導波路１０の厚さは、異なる深さで画像が提示されるような厚さであり得、これによって、１つの画像がもう１つの画像の前で浮遊しているように見えるようにすることが留意される。
【０１０６】
図１７は、３次元画像を表示するためのディスプレイ機器を例示する。図１７に例示されるように、複数の光導波路（１０、１２、及び１４）がある。各光導波路は、二側面画像が図１３の実施形態で構築されたときと同一様式で光導波路の両側面に対して画像がその上に印刷されている。
【０１０７】
より具体的には、各光導波路の前面（観察者側３０）上で、白色のマーキング材料４０が光導波路の前面上に印刷され、マーキング材料５０の印刷が後に続く。
【０１０８】
光導波路の前面上の画像が光源２０によって照明されるとき、印刷画像（４０及び５０）は、観察者３０によって観察される。
【０１０９】
図１７にさらに例示されるように、各光導波路の後面上で、マーキング材料５５が光導波路の後面上に印刷され、白色のマーキング材料４５の印刷が後に続く。
【０１１０】
光導波路の後面上の画像が光源２０によって照明されるとき、印刷画像（４５及び５５）は、観察者３０によって観察される。
【０１１１】
図１８は、白色の背景であって、その上に印刷される画像に対する、白色の背景を提供可能な光導波路を例示する。図１８に例示されるように、白色のマーキング材料４００は、画像エリア全体にわたって印刷される。その後、マーキング材料５０が白色のマーキング材料４００上に印刷される。
【０１１２】
白色のマーキング材料４００が様々な光散乱粒子体積密度を有し、光散乱粒子体積密度が、光導波路の光源境界から離れる距離が増加するにつれて、光導波路の表面に沿って比例して増加することが留意される。
【０１１３】
光散乱粒子体積密度が、光導波路の光源境界からの距離が増加するにつれて比例して増加しなかった場合、光の大部分が光源境界の近傍で光導波路を漏れ出ることになり、光導波路の中央内で画像を適切に照明するために十分な光が存在することになる。
【０１１４】
光源境界は、光源から入射光を受容する光導波路の境界（面）である。
【０１１５】
画像は、マーキング材料５０を使用して白色のマーキング材料４００上に印刷される。
【０１１６】
図１９は、画像が透明媒体７０に最初に印刷され、透明媒体７０が光導波路１０に取り付けられる、光導波路を例示する。図１９に例示されるように、粗面５５を有するマーキング材料５０は、透明媒体７０上に印刷される。
【０１１７】
透明媒体７０が、透明媒体７０と光導波路１０との間の空隙が存在しないように、光導波路１０に取り付けられるべきであることが留意される。
【０１１８】
例えば、透明媒体７０は、硬化する前に空隙を除去するように伸ばされる硬化剤を使用して光導波路に結合され得る。
【０１１９】
透明媒体７０が、光導波路１０の屈折率に実質的に等しい屈折率を有する光導波路であり得ることが留意される。
【０１２０】
図２０は、画像が透明媒体７０に最初に印刷され、透明媒体７０が光導波路１０に取り付けられる、光導波路を例示する。図２０に例示されるように、白色のマーキング材料４０は、透明媒体７０上に印刷され、マーキング材料５０の印刷が後に続く。
【０１２１】
透明媒体７０が、透明媒体７０と光導波路１０との間の空隙が存在しないように、光導波路１０に取り付けられるべきであることが留意される。
【０１２２】
例えば、透明媒体７０は、硬化する前に空隙を除去するように伸ばされる硬化剤を使用して光導波路に結合され得る。
【０１２３】
透明媒体７０が、光導波路１０の屈折率に実質的に等しい屈折率を有する光導波路であり得ることが留意される。
【０１２４】
図２１は、光導波路１０が、光源２０によって照明されたとき、光導波路１０の両側面上に印刷された画像を表示する、光導波路ディスプレイシステムを例示する。画像が光導波路１０の両側面上に印刷されるので、画像は、観察者側３０に対して光導波路１０の表面側に依存して異なって構築される。
【０１２５】
図２１に例示されるように、光導波路１０（観察者側３０）の前面上で、画像が図８に例示されたものと同一様式で構築され、粗面５５を有するマーキング材料５０が光導波路１０の前面上に印刷される。
【０１２６】
光導波路１０の前面上の画像が光源２０によって照明されるとき、印刷画像（粗面５５を有する５０）は、観察者３０によって観察される。
【０１２７】
図２１にさらに例示されるように、光導波路１０の後面上で、画像は、異なる様式で構築され、マーキング材料５５が光導波路１０の後面上に印刷され、白色のマーキング材料４５の印刷が後に続く。
【０１２８】
光導波路１０の後面上の画像が光源２０によって照明されるとき、印刷済み画像（４５及び５５）は、観察者３０によって観察される。
【０１２９】
光導波路１０の厚さは、異なる深さで画像が提示されるような厚さであり得、これによって、１つの画像がもう１つの画像の前で浮遊しているように見えるようにすることが留意される。
【０１３０】
図２２は、画像エリア３５に対して白色の背景を提供可能な光導波路１０を例示する。図２２に例示されるように、白色のマーキング材料４０は、紙様均一背景を作成するように画像エリア３５にわたって印刷される。
【０１３１】
白色のマーキング材料４０は、画像エリア全体３５にわたって印刷され得ることが留意される。その後、マーキング材料５７が白色のマーキング材料４０上に印刷される。
【０１３２】
マーキング材料５７が黒色の画像を提供し得、これによって、光導波路１０上に表示する（照明する）ための黒色／白色の画像を提供することが留意される。
【０１３３】
白色のマーキング材料４０が様々な光散乱粒子体積密度を有し得、光散乱粒子体積密度が、光導波路の光源境界から離れる距離が増加するにつれて、光導波路の表面に沿って比例して増加することが留意される。
【０１３４】
光源境界は、光源から入射光を受容する光導波路の境界（面）である。
【０１３５】
図２２に関して、光導波路１０内に閉じ込められる（内部反射される）光は、白色のマーキング材料４０に入り、白色のマーキング材料４０によって均一に散乱されるようになる。散乱光は、その後、マーキング材料５７によって吸収され、これは、画像状形式で黒色または色を生成し得る。本質的に、画像は、マーキング材料５７を通した光の吸収によって作成される。
【０１３６】
図２３は、画像エリア３５内で黒色／白色画像を生成可能な光導波路１０を例示する。図２３に例示されるように、白色のマーキング材料４０は、画像エリア３５内で、画像状形式で印刷される。
【０１３７】
図２３に関して、光導波路１０内に閉じ込められる（内部反射される）光は、白色のマーキング材料４０に入り、白色のマーキング材料４０によって画像状形式で散乱されるようになる。散乱光の一部分は、白色のマーキング材料４０を出て観察者によって観察される。本質的に、画像は、白色のマーキング材料４０内の散乱粒子を通した光の散乱によって作成される。
【０１３８】
画像内の濃淡が意図される画像に従う散乱の大きさ／強さの調節によって提供され得ることが留意される。
【０１３９】
例えば、画像エリア３５の特定領域内で印刷された白色のマーキング材料４０の量を制御することによって、散乱量（大きさ／強さ）が制御され得る。より具体的には、より大きく散乱すると（より大きな大きさ／強さ）、エッジライトによって照明されたとき、その領域内により明るい画像が見えることになる。
【０１４０】
これに対して、より小さく散乱すると（より小さい大きさ／強さ）、エッジライトによって照明されたとき、その領域内により暗い画像が見えることになる。
【０１４１】
画像を作成するための白色のマーキング材料４０の使用は、単色画像の効果的な作成を可能にする。また、画像を作成するための白色のマーキング材料４０の使用は、より暗いエリアの大きなエリアを有する濃淡画像の効果的な作成を可能にする。
【０１４２】
図２４は、３次元画像の作成に使用される複数光導波路１０を例示する。図２４に例示されるように、各光導波路１０は、その上に印刷された画像の一部分を有する。
【０１４３】
例えば、図２４に例示されるように、画像８０の一部分は、各光導波路１０の１つの表面上に印刷される。さらに、図２４に例示されるように、画像８２の一部分は、光導波路１０の部分集合の両側面上に印刷される。最後に、図２４に例示されるように、画像８４の一部分は、各光導波路１０の両側面上に印刷される。
【０１４４】
画像は、図２４において、上記の任意の様々な印刷プロセス（有色、単色、表面粗さ、散乱、様々な有色／白色階層化法等）を使用して作成され得る。
【０１４５】
さらに、各光導波路１０は、独立して印刷され得、１つの表面上に印刷され得るか、または両方の表面上に印刷され得る。
【０１４６】
光導波路１０が均一に離間され得ることが留意される。さらに、画像が光導波路の両方の表面上に印刷される場合、光導波路間の離間が観察を最適化するように調節され得る、及び／または光導波路の厚さが観察を最適化するように調節され得る。
【０１４７】
画像が、画像深さが大部分で観察可能であるために十分な透明エリアが存在するように薄くあるべきことがさらに留意される。
【０１４８】
図２４に例示されるように、各光導波路上の各画像は、３次元画像または物体のスライスを表現する。画像または物体は、フルカラーを有する外面の輪郭であり得る。さらに、画像または物体は、中空の外観を与えるために内側構造体を含み得る。
【０１４９】
上記の様々な実施形態に関して、印刷画像を照明することに利用される光導波路は、マーキング材料を光導波路から除去することによって即座に再使用され得る。
【０１５０】
言い換えると、エッジ照明向けの光導波路上の画像は、液体インク、紫外線硬化インク、トナー、及び／または固体インク等の様々なマーキング材料を使用してまず印刷され得る。
【０１５１】
その後、印刷画像は、表面の光学的品質を低下させることなく光導波路から除去され得る。光導波路の表面がリフレッシュされた後、光導波路は、新しい画像を印刷するために再使用され得る。
【０１５２】
例えば、紫外線硬化インクがマーキング材料として利用される場合、光導波路材料を害することのないアセトン等の溶剤または洗浄液が、紫外線硬化インク上の印刷を除去するためにごくわずかな機械的洗浄と共に使用され得る。必要であれば、光導波路は、再使用される前に軽微な傷に対して補修され得る。
【０１５３】
別の例において、硬質ガラスが光導波路として利用される場合、アセトン等の化学溶剤及び機械的撹拌の両方が表面上のマーキング材料を除去するために使用され得る。
【０１５４】
上記の洗浄プロセスはまた、マーキング材料の一部分のみを除去するためにも使用され得る。さらに、光導波路が刻印画像及び印刷画像の両方を含む場合、上記の洗浄プロセスは、刻印画像を妨害することなくマーキング材料を除去するために使用され得る。
【０１５５】
最後に、上記の洗浄プロセスは、両方の表面からマーキング材料を除去するか、または１つの表面からマーキング材料を除去するように、両側（面）印刷光導波路からマーキング材料を除去するために使用され得る。
【０１５６】
光導波路面の再使用性は、（１）信頼性及び正確性のためのテスト印刷プロセス、（２）利用する前に光導波路による画像及びライトを確認すること、（３）ユーザが一時的光導波路ディスプレイを印刷及び製作し、恒久的なものを製作する前にそれを短期間使用し得る、試用、（４）恒久的光導波路がカスタム画像を印刷して顧客が賃借することを可能にするように使用され得る、賃借、（５）所望されるときに内容が変更され得る、再使用、（６）恒久的であることを意図されない内容のみが除去される、刻印を印刷と組み合わせること、を可能にする。
【０１５７】
上記の様々な実施形態において、光導波路が、その上に印刷された画像の照明を実施するエッジライトと提供されることが留意される。
【０１５８】
エッジライトは、光導波路側縁または光導波路光源境界での光導波路の照明である。光導波路側縁または光導波路光源境界は、画像が印刷される表面に対して実質的に垂直である。
【０１５９】
光導波路側縁または光導波路光源境界は、好ましくは平滑表面であり、光導波路側縁または光導波路光源境界上の光の入射角は、空気と光導波路との境界の臨界角よりも大きく、このため光は、光導波路内で内部全反射され得る。
【０１６０】
エッジライトは、単一光源または複数光源によって提供され得る。
【０１６１】
さらに、エッジライトは、複数の光導波路側縁または光導波路光源境界で提供され得る。
【０１６２】
光導波路が、画像を表示するために適した平坦平面、曲線表面、または囲まれた物体であり得ることがさらに留意される。
【０１６３】
また上記のマーキング材料が、液体インク、紫外線硬化インク、トナー、及び／または固体インクであり得ることが留意される。
【０１６４】
白色のマーキング材料が、光散乱性を有する白色の液体インク、白色の紫外線硬化インク、白色のトナー、及び／または白色の固体インクであり得ることが加えて留意される。
【０１６５】
さらに、白色のマーキング材料は、白色を有しなくてもよいが、白色のマーキング材料と言及されるマーキング材料は、認識可能な色を有しなくてもよく、光散乱性を有する透明液体インク、透明紫外線硬化インク、透明トナー、及び／または透明固体インクであってもよい。加えて、白色のマーキング材料は、その中に埋め込まれた光散乱粒子を有する透明液体インク、透明紫外線硬化インク、透明トナー、及び／または透明固体インクであってもよい。
【０１６６】
白色ではないマーキング材料は、有色液体インク、有色紫外線硬化インク、有色トナー、及び／または有色固体インクであってもよく、または白色ではないマーキング材料は、黒色液体インク、黒色紫外線硬化インク、黒色トナー、及び／または黒色固体インクであってもよい。
【０１６７】
白色ではないマーキング材料が光吸収性を有し得ることが留意される。
【０１６８】
白色ではないマーキング材料が、赤外線照明を提供する赤外線材料、紫外線照明を提供する紫外線光材料、または白色ではない照明を提供する蛍光材料を有し得ることがさらに留意される。
【０１６９】
上記の様々な実施形態において、白色のマーキング材料及び白色ではないマーキング材料が画像状様式で光導波路上に印刷または形成されることがまた留意される。言い換えると、マーキング材料は、画像が照明されるべき光導波路の表面の領域内のみに印刷形成される。
【０１７０】
一方で、白色の背景が作成される場合、白色のマーキング材料は、光導波路の表面全体上に印刷または形成され、白色ではないマーキング材料のみが、画像状様式で印刷または形成される。
【０１７１】
画像状様式で印刷または形成することは、マーキング材料が照明される画像の画像データに従って配置されることを意味する。
【０１７２】
上記の様々な実施形態において、及び以下に明らかにされる請求項において、光導波路は、光スペクトルにおいて電磁波（光）をガイドする物理的構造体（平面、ストリップ、またはファイバ）、透明媒体（平面、ストリップ、またはファイバ）、または半透明媒体（平面、ストリップ、またはファイバ）を意味する。
【０１７３】
さらに、様々な実施形態において、及び以下に明らかにされる請求項において、光導波路は、媒体を通して光が伝播するときに光の内部全反射を支援する物理的構造体（平面、ストリップ、またはファイバ）、透明媒体（平面、ストリップ、またはファイバ）、または半透明媒体（平面、ストリップ、またはファイバ）を意味する。光導波路の例は、ガラス、アクリル、ファイバオプティクス等であり得る。
【０１７４】
さらに、様々な実施形態において、及び以下に明らかにされる請求項において、光導波路は、媒体を通して光が伝播するときに光の内部全反射を支援する物理的構造体（平面、ストリップ、またはファイバ）、透明媒体（平面、ストリップ、またはファイバ）、または半透明媒体（平面、ストリップ、またはファイバ）を意味する。光導波路の例は、ガラス、アクリル、ファイバオプティクス等であり得る。
【０１７５】
様々な実施形態において、及び以下に明らかにされる請求項において、光導波路上の材料の形成が、インクジェットプリンタ、インクジェット印刷プロセス、電子写真プリンタ、電子写真印刷プロセス、スクリーンプリンタ、スクリーン印刷プロセス、固体インクプリンタ、固体インク印刷プロセス、３次元プリンタ、３次元プリンタプロセス、プロッタ、ブラシまたはマーキング材料塗布装置を使用して１つ以上のマーキング材料を堆積することによって実現され得ることがまた留意される。
【０１７６】
様々な実施形態において、及び以下に明らかにされる請求項において、材料の形成が、インクジェットプリンタ、インクジェット印刷プロセス、電子写真プリンタ、電子写真印刷プロセス、スクリーンプリンタ、スクリーン印刷プロセス、固体インクプリンタ、固体インク印刷プロセス、３次元プリンタ、３次元プリンタプロセス、プロッタ、ブラシまたはマーキング材料塗布装置を使用して薄い光透過性基板上に１つ以上のマーキング材料を形成または堆積することによって実現され、薄い光透過性基板が、薄い光透過性基板を光導波路から取り外すことによってマーキング材料の容易な機械的除去を可能にするために接着剤、静電気、または他の手段によって、光導波路に取り付けられることがさらに留意される。
【０１７７】
図２５は、上記のプロセスを利用して３次元物体上に印刷するかまたは光導波路上に印刷するように構成された代表的印刷システム１００を例示する。印刷システム１００は、印刷ヘッドの配列１０４、支持部材１０８、支持部材１０８に可動に装着された部材１１２、可動装着部材１１２に動作自在に接続されたアクチュエータ１１６、可動装着部材１１２に装着するように構成された物体ホルダ１２０、ならびに複数の印刷ヘッド及びアクチュエータに動作自在に接続されたコントローラ１２４を含む。
【０１７８】
図２５に示されるように、印刷ヘッドの配列１０４は、２次元配列に配置される。各印刷ヘッドは、マーキング材料の供給源（図示せず）に流体的に接続され、供給源から受容されたマーキング材料を射出するように構成される。印刷ヘッドのいくつかは、同一供給源に接続され得るか、または各印刷ヘッドは、各印刷ヘッドが異なるマーキング材料を射出するようにその専用の供給源に接続され得る。コントローラ１２４はまた、光センサ３５０に動作自在に接続される。
【０１７９】
支持部材１０８は、印刷ヘッドの配列によって形成された平面に対して平行に位置付けられ、図に示されるように、支持部材１０８の一端が支持部材の他端よりも高い重力ポテンシャルにあるように配向される。この配向は、印刷システム１００が、印刷ヘッドの配列を水平に配向する代替的実施形態よりもより小さな設置面積を有することを可能にし、印刷ヘッドがマーキング材料を物体上に下方に射出することができるように、物体ホルダが水平に配置された印刷ヘッドを通り過ぎて物体を通過させることを可能にするように支持部材、可動装着部材、及び物体ホルダを構成する。
【０１８０】
部材１１２は、部材が支持部材に沿って摺動することを可能にするように支持部材１０８に可動に装着される。いくつかの実施形態において、部材１１２は、支持部材に沿って両方向に動くことができる。他の実施形態において、支持部材１０８は、可動装着部材のための通路を形成するために支持部材の下端部へのリターン通路を提供するように構成される。
【０１８１】
アクチュエータ１１６は、可動装着部材１１２に動作自在に接続され、そのためアクチュエータ１１６は、支持部材１０８に沿って可動装着部材１１２を動かし得、可動装着部材１１２に接続された物体ホルダ１２０が印刷ヘッドの２次元配列の１次元において印刷ヘッドの配列１０４を通過することを可能にする。図に描写された実施形態において、物体ホルダ１２０は、印刷ヘッドの配列１０４の長さ寸法に沿って物体１２２を動かす。
【０１８２】
コントローラ１２４は、コントローラに動作自在に接続されたメモリ１２８内に記憶されたプログラム命令によって構成され、そのためコントローラは、印刷システム１００内の構成要素を動作させるためにプログラム命令を実行し得る。
【０１８３】
したがって、コントローラ１２４は、印刷ヘッドの配列１０４を通り過ぎて物体ホルダ１２０を動かすようにアクチュエータ１１６を動作させ、かつ物体ホルダが印刷ヘッド１０４の配列を通過するときに物体ホルダ１２０によって把持された物体上にマーキング材料を射出するように印刷ヘッドの配列１０４を動作させるように構成される。加えて、コントローラ１２４は、印刷ヘッドの配列１０４の印刷ヘッド内でインクジェットを動作させるように構成され、そのためそれらは、このような印刷ヘッドから射出される液滴の量よりも多い量の液滴を射出する。
【０１８４】
一実施形態において、コントローラ１２４は、インクジェットが約７〜約１０ｍｍの直径を有する液滴を物体表面上に生成する液滴を射出することを可能にする吐出信号波形を用いて印刷ヘッドの配列１０４の印刷ヘッド内でインクジェットを動作させる。この液滴サイズは、材料受容表面上に液滴を生成した約２１ｎｇの質量を有する液滴よりも明らかに大きい。
【０１８５】
図２５に示されるシステム構成は、複数の態様において特に有利である。１つに、上記のように、印刷ヘッドの配列１０４及び支持部材１０８の垂直構成は、システム１００が、配列及び支持部材の水平配向によって構成されたシステムよりも小さな設置面積を有することを可能にする。このシステムのより小さな設置面積は、システム１００が、図２８に描写されるように、単一キャビネット１８０内に収容され、非生産出口内に設置されることを可能にする。一度設置されると、様々な物体ホルダは、以下にさらに説明されるように、印刷されるまで汎用的な外観である様々な品物を印刷するためにシステムで使用され得る。
【０１８６】
図２５に示されるシステム１００の別の有利な態様は、物体ホルダ１２０によって搬送された物体と印刷ヘッドの配列１０４の印刷ヘッドとの間にある隙間である。
【０１８７】
加えて、コントローラ１２４は、印刷ヘッドとシステム１００で使用される物体表面との間の隙間内の乱気流を弱める速度で物体ホルダを動かすようにアクチュエータ１１６を動作させるプログラム命令によって構成され得る。
【０１８８】
システム１００の代替的実施形態が図２６に示される。本代替的実施形態２００において、支持部材は、一対の支持部材２０８であり、可動装着部材２１２がこれに対して装着される。
【０１８９】
本実施形態は、一対の固定的に位置付けられたプーリー２３２及び無端ベルトを形成するために一対のプーリーの周りに同調されたベルト２３６を含む。可動装着部材２１２は、第３のプーリー２４０を含み、第３のプーリー２４０は、可動装着部材及び物体ホルダ２２０を動かすように一対のプーリー２３２の周りを動く無端ベルトの運動に応答して第３のプーリー２４０が回転することを可能にするように無端ベルトと係合する。
【０１９０】
本実施形態において、アクチュエータ２１６は、プーリー２３２の一方に動作自在に接続され、そのためコントローラ２２４は、駆動プーリーを回転させ、かつ無端ベルトをプーリー２３２の周りで動かすようにアクチュエータを動作させ得る。コントローラ２２４は、印刷ヘッドの配列２０４を通りすぎる可動装着部材２１２及び物体ホルダ２２０の両方向の運動のためにプーリー２３２の一方を両方向に回転させるようにアクチュエータ２１６を両方向に動作させる、メモリ２２８内に記憶されたプログラム命令によって構成され得る。
【０１９１】
図２７に示される別の代替的実施形態において、ベルト２３６の一端部は、アクチュエータ２１６に動作自在に接続される巻取リール２４４に動作自在に接続される。ベルト２３６の他端は、固定的に位置付けられる。コントローラ２２４は、巻取リール２４４を回転させベルトの長さの一部分を巻取リール２４４の周りに巻き取るようにアクチュエータ２１６を動作させることをコントローラ２２４に可能にする、メモリ２２８内に記憶されたプログラム命令によって構成される。
【０１９２】
ベルト２４４はまた、可動装着部材２１２に装着された回転可能プーリー２４８と係合する。ベルト２３６の他端が固定的に位置付けられるので、リール２４４の回転は、印刷ヘッドの配列を通り過ぎる物体ホルダを動かすことを可動装着部材２１２に行わせる。
【０１９３】
コントローラ２２４がベルトをリール２２４から巻取解除するようにアクチュエータ２１６を動作させるとき、可動装着部材２１２は、下がり、物体ホルダが印刷ヘッドの配列２０４を通り過ぎて下がることを可能にする。本運動の方向は、アクチュエータがベルト２３６の長さを巻き取るように動作されたとき、物体ホルダが動かされる方向の反対である。
【０１９４】
可動装着部材を動かすためにベルトを使用するこれらの構成は、コントローラ１２４が、印刷ヘッドの配列を両方向に通り過ぎる可動装着部材１１２及び物体ホルダ１２０を動かすようにリニアアクチュエータを動作させる、図２５に示されるものとは異なる。
【０１９５】
上記の印刷機器に伴い、印刷システムは、紫外線硬化インクがマーキング材料として利用されているとき、印刷ヘッドの配列の下に紫外線硬化ステーションを含み得る。印刷システム内に紫外線硬化ステーションを含むことによって、紫外線硬化インクの層が堆積され、硬化され、その後、紫外線硬化インクの後続層が堆積され得、これによって、硬化インクの３次元層体を構築する。言い換えると、紫外線硬化インクの各層が堆積された後、堆積層が硬化され、これによって、堆積紫外線硬化インク内に深さを構築するために別の層の堆積を可能にし、そのため粗面が生成され得る。
【０１９６】
物体ホルダ２２０の例が図２９に示される。物体ホルダ２２０は、図においてゴルフクラブヘッドである物体３１２が印刷のために配置される、孔３０８を有するプレート３０４を含む。ラッチ３１６が、物体ホルダ２２０を可動装着部材２１２に選択的に装着するために構成される。ラッチ３１６は、図２６に示されるように部材２０８によって支持される部材２１２にホルダを固設するために物体ホルダ２２０を適切に位置付けることを補助する位置決め機構３２０を含む。
【０１９７】
一度適切に配置されると、レバー３２２が、ホルダ２２０を部材２１２に固設するようにラッチ３１６を動作させる。図に示されるように、部材２１２は、以下にさらに説明されるように物体ホルダ２２０から識別情報を取得するための入力機器３２６を含む。
【０１９８】
物体ホルダ２２０の斜視図が図３０に示される。図３０において、物体ホルダ２２０の表面上の識別タグ３３０は、ホルダが部材２１２に固設されたとき、可動装着部材２１２上の入力機器３２６に面する。入力機器３２６は、識別タグ３３０からの識別情報をコントローラに伝達するために、図２６及び２７に示されるコントローラ２２４に動作自在に接続される。コントローラは、可動装着部材２１２の入力機器３２６から受信された識別情報を参照して印刷ヘッドの配列２０４及びアクチュエータ２１６（図２６及び２７）を動作させるようにさらに構成される。
【０１９９】
本明細書に使用される、「識別タグ」は、印刷システムによって処理される情報を埋め込む機械可読証印を意味する。証印は、機械的、光学的、または電磁気的であり得る。
【０２００】
一実施形態において、識別タグ３３０は、無線周波数識別（ＲＦＩＤ）タグであり、可動装着部材の入力機器３２６は、ＲＦＩＤリーダである。
【０２０１】
別の実施形態において、識別タグ３３０は、バーコードであり、可動装着部材２１２の入力機器３２６は、バーコードリーダである。
【０２０２】
機械的証印が識別タグのために使用される別の実施形態において、証印は、識別タグの表面に追従する付勢アームによって読み取られ得る材料内の突起、圧痕、または突起及び圧痕の組み合わせである。
【０２０３】
このような実施形態の入力機器３２６は、機械的特徴に追従するアームの位置を電気信号に変換するカムフォロワであり得る。
【０２０４】
コントローラ２２４は、可動装着部材２１２の入力機器３２６から受信された識別情報をコントローラに動作自在に接続されたメモリ３２８内に記憶された識別情報と比較する、メモリ２２８内に記憶されたプログラム命令によってさらに構成される。コントローラは、入力機器３２６から受信された識別情報がメモリ内に記憶された識別情報の１つに対応することに失敗することに応答してアクチュエータ２１６の動作を無効にする。
【０２０５】
別の実施形態において、コントローラ２２４は、可動装着部材２１２の入力機器３２６から受信された識別情報を、メモリ３２８内に記憶された識別情報と比較する、メモリ３２８内に記憶されたプログラム命令によってさらに構成される。
【０２０６】
本実施形態において、コントローラ２２４は、入力機器３２６から受信された識別情報がメモリ３２８内に記憶された識別情報の１つに対応することに失敗することに応答して印刷ヘッドの配列内の印刷ヘッドの動作を無効にする。
【０２０７】
いくつかの実施形態において、コントローラ２２４は、入力機器３２６から受信された識別情報がメモリ３２８内に記憶された識別情報の１つに合致することに失敗することに応答してアクチュエータ２１６及び印刷ヘッドの配列２０４の両方を無効にするように構成される。
【０２０８】
これらの実施形態の全てにおいて、コントローラ２２４は、図２５〜２７に示されるようにユーザインターフェース３５０に動作自在に接続される。ユーザインターフェース３５０は、ディスプレイ３６０、アナンシエータ３６４、及びキーパッド等の入力機器３６８を含む。
【０２０９】
コントローラ２２４は、入力機器３２６から受信された識別情報のメモリ内の識別情報の１つに対応することの失敗をオペレータに通知するようにユーザインターフェースを動作させるプログラム命令によって構成される。したがって、オペレータは、システムの無効化に対する理由を理解することができる。
【０２１０】
加えて、コントローラ２２４は、入力機器３２６から受信された識別情報と矛盾するシステムステータスのオペレータに通知するためにユーザインターフェース３５０を動作させるプログラム命令によって構成される。
【０２１１】
例えば、コントローラ２２４は、システム内の印刷ヘッド及び印刷ヘッドに供給されているインクの構成を検出するためにシステムを監視する。インクまたは印刷ヘッド構成が物体ホルダに正確かつ適切に対応する物体を印刷することができない場合、その後、ユーザインターフェース３５０は、インクが交換される必要があるかまたは印刷ヘッド配列が再構成される必要があることのメッセージをオペレータ用のディスプレイ３６０上に生成するためにコントローラ２２４によって動作される。
【０２１２】
コントローラ２２４はまた、実施される必要がある処理をオペレータに通知するためにユーザインターフェース３５０を動作させるプログラム命令によって構成される。例えば、入力機器３２６から受信された、いくつかの識別情報は、物体が、印刷前のプレコートまたは物体が印刷された後のポストコートを要求することを示す。本例のコントローラ２２４は、条件の一方または両方に関するメッセージをディスプレイ３６０上でオペレータに提供するためにユーザインターフェース３５０を動作させる。
【０２１３】
ユーザインターフェース３５０は、英数字メッセージ用のディスプレイ３６０、オペレータによるデータの入力用のキーパッド３６８、及び表示メッセージに注意を引きつける警告灯または可聴アラーム等のアナンシエータ３６４を含む。
【０２１４】
図３１は、可動装着部材２１２に固設された物体ホルダ２２０の正面図を示し、図３２は、可動装着部材２１２に対する物体ホルダ２２０の背面図を示す。
【０２１５】
加えて、コントローラ２２４は、物体ホルダが可動装着部材２１２に装着及び装着解除された回数の計数を蓄積するように構成され得る。この計数は、システム１００によって印刷された物体の数を取得及び記憶するために使用され得る。この印刷された物体の計数は、その後、供給物が排出される前にシステムの継続動作のために供給物を指図するため、及び様々な目的のためにシステムのスループットの計算をするために使用され得る。
【０２１６】
図３３〜４１は、異なる種類の物品を保持するための様々な構成の物体ホルダ２２０を描写し、ホルダ２２０は、可動装着部材２１２に固設される。図３３、３４、３５、３７、３８、４０及び４１の物体ホルダは、印刷ヘッドの配列による印刷のための物体を保持するように構成される少なくとも１つの孔を含む。
【０２１７】
図３３において、孔３０８は、円板形状物体３１２を保持するように構成される。図３４において、複数の孔の各孔３０８は、複数のキャップ形状物体３１２を保持するように構成される。図３５において、複数の孔の各孔３０８は、描写された携帯電話ケース等の複数のケース３１２を保持するように構成される。図３７において、孔３０８は、球形状物体３１２を保持するように構成される。図３８において、複数の孔の各孔３０８は、ゴルフクラブヘッド３１２を保持するように構成される。
【０２１８】
図４１において、複数の孔の各孔３０８は、眼鏡フレームのつる３１２を保持するように構成される。図３６において、物体ホルダ（図示せず）は、ヘッドギアを保持するように構成される。図３９において、物体ホルダ２２０は、一対のアーム４０４を含み、アーム４０４は、その間に矩形または円筒形物体３１２を固設するように構成される。
【０２１９】
本明細書において使用される、「アーム」という用語は、２つの端部を有し、一端が物体ホルダに装着され、部材の残部が物体ホルダを参照して物体を保持するように構成される部材を指す。
【０２２０】
図４０において、可動装着部材２１２の後側が、物体ホルダが物品の表面の印刷を可能にするように衣料品を保持することになる配向を描写するために示される。
【０２２１】
上記の印刷システム１００は、非生産環境内で特に有利であるが、図４２に描写されるシステム５００は、製造環境内でより強固かつ有用である。
【０２２２】
システム５００において、コンベヤ５０４が、物体の供給部（図示せず）から物体ホルダ５０８に物体を送達するように構成される。物体ホルダ５０８は、コンベヤ５０４から物体を受容するように構成される。コントローラ２２４は、コンベヤ５０４、アクチュエータ２１６、及び印刷ヘッドの配列２０４に動作自在に接続される。コントローラ２２４は、物体を物体ホルダ５０８に送達するようにコンベヤ５０４を動作させ、かつ印刷ヘッドの配列を通り過ぎて物体ホルダによって保持された物体を動かすようにアクチュエータ２１６を動作させる、メモリ２２８内に記憶されたプログラム命令によってさらに構成される。
【０２２３】
この動作は、物体が印刷ヘッド２０４の配列を通過するときに物体を印刷することを印刷ヘッドに可能にする。ビンが、物体が印刷された後に物体ホルダ５０８から物体を受容するために提供され得る。
【０２２４】
別の実施形態において、別のコンベヤ５１２が、物体ホルダによって保持された物体が印刷ヘッドの配列２０４内の印刷ヘッドによって印刷された後に物体ホルダ５０８から物体を受容するように構成される。コントローラ２２４は、コンベヤ５１２に動作自在に接続され、印刷物体を容器５１６等の印刷システムから離れた位置に輸送するようにコンベヤ５１２を動作させる。
【０２２５】
図４３は、付勢部材６０４によって構成された図３５の物体ホルダ３０８を例示する。付勢部材は、ホルダ３０８の表面上を下方に押す、鉤状部を部材の非取り付け端部に伴って形成された弾力性部材であり得る。
【０２２６】
媒体６０８のシートの部分は、シートがホルダの表面に対して保持されることを可能にするように付勢部材とホルダ３０８の表面との間に挿入され得る。オペレータは、一度媒体シートが設置されると、ユーザインターフェース３５０の入力機器を通してテストモードまたは設定モードを開始し得る。応答において、コントローラ２２４は、１つ以上のテストパターンを媒体シート上に射出するようにコントローラが印刷ヘッドを動作させるときに、印刷ヘッドを通り過ぎて物体ホルダに取り付けられた媒体シートを動かすようにアクチュエータ２１６を動作させる。
【０２２７】
システムは、テストパターンがシート上に印刷された後、テストパターン及び媒体シートの画像データを生成するように位置付けられる、デジタルカメラ等の光センサ３５４を含み得る。
【０２２８】
プログラム命令を実行するコントローラ２２４は、印刷ヘッド整列及び印刷ヘッド内の作動しない射出装置等の保守問題を識別するために、媒体シート上のテストパターンの画像データを分析する。加えて、コントローラ２２４は、システムが物体ホルダ上の識別タグから読み取られた、入力機器３２６から受信された識別情報に対応する物体を印刷するために適切に構成されていることを検証する。
【０２２９】
代替的に、図４４に描写されるように、ホルダ３０８等の物体ホルダは、物体ホルダに取り外し可能に装着され、かつテストエリア６６２を有する部材６５８を含み得る。部材６５８のテストエリア６６２は、システムによって印刷され、光センサ３５４によって撮像され、及びシステムの構成による問題を識別するためにコントローラ２２４によって分析され得る、マイラ等の材料の平坦エリアである。
【０２３０】
商用環境内で使用されるシステムは、非生産環境内で物体を印刷する。これらの物体のいくつかは、非常に高価であり得、代理店は、それにテストパターンを印刷することによる廃棄を望まない。これらの物体のいくつかが曲線または複雑な幾何形状を有するので、物体の形状及び幾何形状を複製した型枠が、システムを通るテスト運転のために提供される。これらの型枠は、物体の概略的外形に一致するように形作られるが、画像がその型枠上に印刷され、撮像され、ならびに保守問題を識別するために及び物体を印刷するシステムの構成を検証するために分析されることを可能にする、マイラ等のような材料から作られる。一度システムが物体を印刷する準備が整っていると確認されると、型枠は、除去され次回に使用され得るようにきれいに拭き取られる。型枠の代替として、媒体シートが物体に対して重ねられ得、そのため、物体を印刷する前にシートが除去され得るので、シートが印刷され得、画像を物体上に恒久的に形成することなく画像データが分析される。
【０２３１】
図４５は、粗い切断エッジ１９を有する光導波路１０を例示する。より具体的には、光導波路材料の原材料パネルは、通常、光導波路材料のより大きなパネルから切断される。この切断プロセス中、エッジが切断後に非常に粗くなる。
【０２３２】
良好なエッジ照明ディスプレイパネルのための一要件は、照明光がパネルに効率的に入ることを可能にするように、クリアな（光学的に透明）エッジまたは平滑エッジである。クリアな（光学的に透明）エッジまたは平滑エッジを達成するために、従来、エッジは、平滑境界を作成するために研磨（特にガラスに対して）されるかまたは高温溶融（アクリル等のプラスチック材料に対して発炎灯を使用して）される。エッジ処置のこれらの方法は、低速であり、印刷所の周囲で一般的に好都合に利用可能ではない。
【０２３３】
従来のプロセスに対して代替的に、粗いエッジが、図４６に例示されるように、クリアな硬化インク８０によるフラッドコーティングによって平滑化され得、その後、インクが硬化される。クリアな硬化インクの塗布及び硬化は、エッジがクリアな（光学的に透明）エッジになるようにエッジを平滑化する。
【０２３４】
好ましい実施形態において、硬化インクは、紫外線硬化インクである。
【０２３５】
光導波路の照明に有色光が所望される場合、硬化有色インクが利用され得ることが留意される。
【０２３６】
さらに、複数硬化有色インクが、エッジに衝突する入射光の位置に基づいて、様々な色が光導波路を照明するために利用され得るように、帯状に塗布され得ることが留意される。
【０２３７】
切断エッジ１９をフラッドコートするためにクリアな紫外線硬化流体（インク）を使用し、紫外線源を用いてクリアな紫外線硬化流体（インク）を硬化することによって、結果としてもたらされるエッジが平滑になり、良好なエッジ照明を可能にする。
【０２３８】
上記のように、流体（インク）は、濡れ性によってベース材料エッジの凹凸を埋める。紫外線／空気境界は、表面張力によって平滑である。紫外線材料が光導波路材料のものに類似する屈折率を有するので、紫外線／光導波路材料境界は、流体（インク）コーティングと光導波路材料との間の境界の凹凸にかかわらず、実質的に後方反射を生成しないことになる。
【０２３９】
図４７は、粗面である刻印エリア１１を有する光導波路１０を例示する。刻印エリア１１によって、光導波路は、刻印エリア１１も照明することになるので、異なる画像を照明するためにその現在の条件で再使用することができない。
【０２４０】
光導波路の再使用性を可能にするために、図４７に例示されるように、刻印エリア１１は、クリアな硬化インク８０でフラッドコートされ、その後、インクが硬化される。このクリアな硬化インクの塗布及び硬化は、光導波路が異なる画像を照明するために再使用され得るように、光導波路の表面を平滑化する。
【０２４１】
好ましい実施形態において、硬化インクは、紫外線硬化インクである。
【０２４２】
刻印エリア１１をフラッドコートするためにクリアな紫外線硬化流体（インク）を使用し、紫外線源を用いてクリアな紫外線硬化流体（インク）を硬化することによって、結果としてもたらされる表面が平滑になり、これによって、前の刻印エリア１１における内部全反射を可能にする。
【０２４３】
要約すると、ディスプレイ機器構成要素は、表面を有する光導波路と、光導波路の表面の一部分上に形成された第１の材料と、第１の材料の一部分上に形成された第２の材料と、を含み、第１の材料が、光散乱性を有する。
【０２４４】
第２の材料は、第１の材料の全ての上に形成され得る。
【０２４５】
ディスプレイ機器構成要素は、第１の材料の一部分上に形成された第３の材料をさらに備え得、第１の材料の一部分上に形成された第２の材料を有する第１の材料の一部分が、第１の材料の一部分上に形成された第３の材料を有する第１の材料の一部分とは異なる。
【０２４６】
ディスプレイ機器構成要素は、第２の材料の一部分上に形成された第３の材料をさらに備え得る。
【０２４７】
第１の材料は、マーキング材料であり得、第２の材料は、マーキング材料であり得る。
【０２４８】
第１の材料は、白色のマーキング材料であり得る。
【０２４９】
第２の材料は、白色ではない有色のマーキング材料であり得る。
【０２５０】
第３の材料は、第２の材料の色とは異なる色を有する白色ではない有色のマーキング材料であり得る。
【０２５１】
第１の材料は、白色のマーキング材料であり得、第２の材料は、第１の白色ではない有色のマーキング材料であり得、第３の材料は、第２の白色ではない有色のマーキング材料であり得、第１の白色ではない有色のマーキング材料が、第２の白色ではない有色のマーキング材料の色とは異なる色を有する。
【０２５２】
第１の材料及び第２の材料は、インクである。
【０２５３】
第１の材料及び第２の材料は、トナーである。
【０２５４】
ディスプレイ機器構成要素は、表面を有する光導波路と、光導波路の表面の一部分上に形成された第１の材料と、第１の材料の一部分上に形成された第２の材料と、を含み、第１の材料が、その中に埋め込まれた光散乱粒子を有する。
【０２５５】
ディスプレイ機器構成要素は、第１の材料の一部分上に形成された第３の材料をさらに備え得、第１の材料の一部分上に形成された第２の材料を有する第１の材料の一部分が、第１の材料の一部分上に形成された第３の材料を有する第１の材料の一部分とは異なる。
【０２５６】
ディスプレイ機器構成要素は、第２の材料の一部分上に形成された第３の材料をさらに備え得る。
【０２５７】
第１の材料は、白色のマーキング材料であり得る。
【０２５８】
第２の材料は、白色ではない有色のマーキング材料であり得る。
【０２５９】
第３の材料は、第２の材料の色とは異なる色を有する白色ではない有色のマーキング材料であり得る。
【０２６０】
第１の材料は、白色のマーキング材料であり得、第２の材料は、第１の白色ではない有色のマーキング材料であり得、第３の材料は、第２の白色ではない有色のマーキング材料であり得、第１の白色ではない有色のマーキング材料が、第２の白色ではない有色のマーキング材料の色とは異なる色を有する。
【０２６１】
ディスプレイ機器構成要素は、表面及び光源境界面を有する光導波路と、光導波路の表面上に形成された第１の材料と、第１の材料の一部分上に形成された第２の材料と、を備え、第１の材料が、その中に埋め込まれた光散乱粒子を有し、第１の材料が、様々な光散乱粒子体積密度を有し、光散乱粒子体積密度が、光源境界面から離れる距離が増加するにつれて光導波路の表面に沿って比例して増加する。
【０２６２】
ディスプレイ機器構成要素は、第１の材料の一部分上に形成された第３の材料をさらに備え得、第１の材料の一部分上に形成された第２の材料を有する第１の材料の一部分が、第１の材料の一部分上に形成された第３の材料を有する第１の材料の一部分とは異なる。
【０２６３】
ディスプレイ機器構成要素は、表面を有する光導波路と、光導波路の表面の一部分上に形成された第１の材料と、第１の材料上に形成された第２の材料と、を含み、第２の材料が、光散乱性を有する。
【０２６４】
ディスプレイ機器構成要素は、光導波路の表面の一部分上に形成された第３の材料をさらに備え得、光導波路の表面の一部分が、光導波路の表面の一部分上に形成された第３の材料を有する光導波路の表面の一部分とは異なる光導波路の表面の一部分上に形成された第１の材料を有し、第２の材料が、第３の材料の上に形成されている。
【０２６５】
ディスプレイ機器構成要素は、第１の材料と第２の材料との間に形成された第３の材料をさらに備え得る。
【０２６６】
第１の材料は、マーキング材料であり得、第２の材料は、マーキング材料であり得る。
【０２６７】
第２の材料は、白色のマーキング材料であり得る。
【０２６８】
第１の材料は、白色ではない有色のマーキング材料であり得る。
【０２６９】
第３の材料は、第１の材料の色とは異なる色を有する白色ではない有色のマーキング材料であり得る。
【０２７０】
第２の材料は、白色のマーキング材料であり得、第１の材料は、第１の白色ではない有色のマーキング材料であり得、第３の材料は、第２の白色ではない有色のマーキング材料であり得、第１の白色ではない有色のマーキング材料が、第２の白色ではない有色のマーキング材料の色とは異なる色を有する。
【０２７１】
第１の材料及び第２の材料は、インクであり得る。
【０２７２】
第１の材料及び第２の材料は、トナーであり得る。
【０２７３】
ディスプレイ機器構成要素は、表面を有する光導波路と、光導波路の表面の一部分上に形成された第１の材料と、第１の材料の一部分上に形成された第２の材料と、を含み、第２の材料が、その中に埋め込まれた光散乱粒子を有する。
【０２７４】
ディスプレイ機器構成要素は、光導波路の表面の一部分上に形成された第３の材料をさらに備え得、光導波路の表面の一部分が、光導波路の表面の一部分上に形成された第３の材料を有する光導波路の表面の一部分とは異なる光導波路の表面の一部分上に形成された第１の材料を有する。
【０２７５】
ディスプレイ機器構成要素は、第１の材料と第２の材料との間に形成された第３の材料をさらに備え得る。
【０２７６】
第２の材料は、白色のマーキング材料であり得る。
【０２７７】
第１の材料は、白色ではない有色のマーキング材料であり得る。
【０２７８】
第３の材料は、第１の材料の色とは異なる色を有する白色ではない有色のマーキング材料であり得る。
【０２７９】
第２の材料は、白色のマーキング材料であり得、第１の材料は、第１の白色ではない有色のマーキング材料であり得、第３の材料は、第２の白色ではない有色のマーキング材料であり得、第１の白色ではない有色のマーキング材料が、第２の白色ではない有色のマーキング材料の色とは異なる色を有する。
【０２８０】
ディスプレイ機器構成要素は、第１の表面及び第２の表面を有する光導波路と、光導波路の第１の表面の一部分上に形成された第１の材料と、第１の材料の一部分上に形成された第２の材料と、光導波路の第２の表面の一部分上に形成された第３の材料と、第３の材料上に形成された第４の材料と、を備え、第１の材料が、光散乱性を有し、第４の材料が、光散乱性を有する。
【０２８１】
光導波路は、第１の屈折率を有し、第１の材料は、第２の屈折率を有し、第１の屈折率が、第２の屈折率に実質的に等しい。
【０２８２】
光導波路は、第１の屈折率を有し、第３の材料は、第２の屈折率を有し、第１の屈折率が、第２の屈折率に実質的に等しい。
【０２８３】
第１の材料は、マーキング材料であり得、第４の材料は、マーキング材料であり得る。
【０２８４】
第１の材料は、白色のマーキング材料であり得、第４の材料は、白色のマーキング材料であり得る。
【０２８５】
白色のマーキング材料は、インクであり得る。
【０２８６】
白色のマーキング材料は、トナーであり得る。
【０２８７】
第２の材料は、マーキング材料であり得、第３の材料は、マーキング材料であり得る。
【０２８８】
第２の材料は、白色ではない有色のマーキング材料であり得、第３の材料は、白色ではない有色のマーキング材料であり得る。
【０２８９】
白色ではない有色のマーキング材料は、インクであり得る。
【０２９０】
白色ではない有色のマーキング材料は、トナーであり得る。
【０２９１】
ディスプレイ機器構成要素は、第１の表面及び第２の表面を有する光導波路と、光導波路の第１の表面の一部分上に形成された第１の材料と、第１の材料上に形成された第２の材料と、光導波路の第２の表面の一部分上に形成された第３の材料と、第３の材料上に形成された第４の材料と、を備え、第１の材料が、その中に埋め込まれた光散乱粒子を有し、第４の材料が、その中に埋め込まれた光散乱粒子を有する。
【０２９２】
光導波路は、第１の屈折率を有し、第１の材料は、第２の屈折率を有し、第１の屈折率が、第２の屈折率に実質的に等しい。
【０２９３】
光導波路は、第１の屈折率を有し、第３の材料は、第２の屈折率を有し、第１の屈折率が、第２の屈折率に実質的に等しい。
【０２９４】
第１の材料は、マーキング材料であり得、第４の材料は、マーキング材料であり得る。
【０２９５】
第１の材料は、白色のマーキング材料であり得、第４の材料は、白色のマーキング材料であり得る。
【０２９６】
第２の材料は、マーキング材料であり得、第３の材料は、マーキング材料であり得る。
【０２９７】
第２の材料は、白色ではない有色のマーキング材料であり得、第３の材料は、白色ではない有色のマーキング材料であり得る。
【０２９８】
ディスプレイ機器構成要素は、表面及び光源境界面を有する光導波路と、光源であって、光源が、光導波路内で入射光の内部全反射を提供する入射角で光源境界面上に光を導く、光源と、光導波路の表面の一部分上に形成された第１の材料と、第１の材料上に形成された第２の材料と、を備え、第１の材料が、光導波路内で入射光の内部全反射の一部分をフラストレートするように光散乱性を有する。
【０２９９】
光導波路は、第１の屈折率を有し、第１の材料は、第２の屈折率を有し、第１の屈折率が、第２の屈折率に実質的に等しい。
【０３００】
第２の材料は、第３の屈折率を有し、第２の屈折率が、第３の屈折率に実質的に等しい。
【０３０１】
第１の材料は、マーキング材料であり得る。
【０３０２】
第１の材料は、白色のマーキング材料であり得る。
【０３０３】
白色のマーキング材料は、インクであり得る。
【０３０４】
白色のマーキング材料は、トナーであり得る。
【０３０５】
第２の材料は、マーキング材料であり得る。
【０３０６】
第２の材料は、白色ではない有色のマーキング材料であり得る。
【０３０７】
白色ではない有色のマーキング材料は、インクであり得る。
【０３０８】
白色ではない有色のマーキング材料は、トナーであり得る。
【０３０９】
ディスプレイ機器構成要素は、表面及び光源境界面を有する光導波路と、光源であって、光源が、光導波路内で入射光の内部全反射を提供する入射角で光源境界面上に光を導く、光源と、光導波路の第１の表面の一部分上に形成された第１の材料と、第１の材料上に形成された第２の材料と、を備え、第１の材料が、光導波路内で入射光の内部全反射の一部分をフラストレートするように第１の材料内に埋め込まれた光散乱粒子を有する。
【０３１０】
光導波路は、第１の屈折率を有し、第１の材料は、第２の屈折率を有し、第１の屈折率が、第２の屈折率に実質的に等しく、第２の材料が、第３の屈折率を有し、第２の屈折率が、第３の屈折率に実質的に等しい。
【０３１１】
第１の材料は、マーキング材料であり得る。
【０３１２】
第１の材料は、白色のマーキング材料であり得る。
【０３１３】
第２の材料は、マーキング材料であり得る。
【０３１４】
第２の材料は、白色ではない有色のマーキング材料であり得る。
【０３１５】
ディスプレイ機器構成要素は、表面及び光源境界面を有する光導波路と、光源であって、光源が、光導波路内で入射光の内部全反射を提供する入射角で光源境界面上に光を導く、光源と、光導波路の表面の一部分上に形成された第１の材料と、第１の材料上に形成された第２の材料と、を備え、第１の材料が、光導波路内で入射光の内部全反射の一部分をフラストレートするように第１の材料内に埋め込まれた光散乱粒子を有し、第１の材料が、様々な光散乱粒子体積密度を有し、光散乱粒子体積密度が、光源境界から離れる距離が増加するにつれて光導波路の表面に沿って比例して増加する。
【０３１６】
第１の材料は、白色のマーキング材料であり得る。
【０３１７】
第２の材料は、白色ではない有色のマーキング材料であり得る。
【０３１８】
ディスプレイ機器構成要素は、表面及び光源境界面を有する光導波路と、光源であって、光源が、光導波路内で入射光の内部全反射を提供する入射角で光源境界面上に光を導く、光源と、光導波路の第１の表面の一部分上に形成された第１の材料と、第１の材料上に形成された第２の材料と、を備え、第２の材料が、光導波路内で入射光の内部全反射の一部分をフラストレートするように光散乱性を有する。
【０３１９】
光導波路は、第１の屈折率を有し、第１の材料は、第２の屈折率を有し、第１の屈折率が、第２の屈折率に実質的に等しい。
【０３２０】
第２の材料は、第３の屈折率を有し、第２の屈折率が、第３の屈折率に実質的に等しい。
【０３２１】
第２の材料は、マーキング材料であり得る。
【０３２２】
第２の材料は、白色のマーキング材料であり得る。
【０３２３】
白色のマーキング材料は、インクであり得る。
【０３２４】
白色のマーキング材料は、トナーであり得る。
【０３２５】
第１の材料は、マーキング材料であり得る。
【０３２６】
第１の材料は、白色ではない有色のマーキング材料であり得る。
【０３２７】
白色ではない有色のマーキング材料は、インクであり得る。
【０３２８】
白色ではない有色のマーキング材料は、トナーであり得る。
【０３２９】
ディスプレイ機器構成要素は、表面及び光源境界面を有する光導波路と、光源であって、光源が、光導波路内で入射光の内部全反射を提供する入射角で光源境界面上に光を導く、光源と、光導波路の表面の一部分上に形成された第１の材料と、第１の材料上に形成された第２の材料と、を備え、第２の材料が、光導波路内で入射光の内部全反射の一部分をフラストレートするように第１の材料内に埋め込まれた光散乱粒子を有する。
【０３３０】
光導波路は、第１の屈折率を有し、第１の材料は、第２の屈折率を有し、第１の屈折率が、第２の屈折率に実質的に等しく、第２の材料が、第３の屈折率を有し、第２の屈折率が、第３の屈折率に実質的に等しい。
【０３３１】
第２の材料は、マーキング材料であり得る。
【０３３２】
第２の材料は、白色のマーキング材料であり得る。
【０３３３】
第１の材料は、マーキング材料であり得る。
【０３３４】
第１の材料は、白色ではない有色のマーキング材料であり得る。
【０３３５】
ディスプレイ機器構成要素は、第１の表面、第２の表面、及び光源境界面を有する光導波路と、光源であって、光源が、光導波路内で入射光の内部全反射を提供する入射角で光源境界面上に光を導く、光源と、光導波路の第１の表面の一部分上に形成された第１の材料と、第１の材料上に形成された第２の材料と、光導波路の第２の表面の一部分上に形成された第３の材料と、第３の材料上に形成された第４の材料と、を備え、第１の材料が、光導波路内で入射光の内部全反射の一部分をフラストレートするように光散乱性を有し、第４の材料が、光導波路内で入射光の内部全反射の一部分をフラストレートするように光散乱性を有する。
【０３３６】
光導波路は、第１の屈折率を有し、第１の材料は、第２の屈折率を有し、第１の屈折率が、第２の屈折率に実質的に等しい。
【０３３７】
光導波路は、第１の屈折率を有し、第３の材料は、第２の屈折率を有し、第１の屈折率が、第２の屈折率に実質的に等しい。
【０３３８】
第１の材料は、マーキング材料であり得、第４の材料は、マーキング材料であり得る。
【０３３９】
第１の材料は、白色のマーキング材料であり得、第４の材料は、白色のマーキング材料であり得る。
【０３４０】
白色のマーキング材料は、インクであり得る。
【０３４１】
白色のマーキング材料は、トナーであり得る。
【０３４２】
第２の材料は、マーキング材料であり得、第３の材料は、マーキング材料であり得る。
【０３４３】
第２の材料は、白色ではない有色のマーキング材料であり得、第３の材料は、白色ではない有色のマーキング材料であり得る。
【０３４４】
白色ではない有色のマーキング材料は、インクであり得る。
【０３４５】
白色ではない有色のマーキング材料は、トナーであり得る。
【０３４６】
ディスプレイ機器構成要素は、第１の表面、第２の表面、及び光源境界面を有する光導波路と、光源であって、光源が、光導波路内で入射光の内部全反射を提供する入射角で光源境界面上に光を導く、光源と、光導波路の第１の表面の一部分上に形成された第１の材料と、第１の材料上に形成された第２の材料と、光導波路の第２の表面の一部分上に形成された第３の材料と、第３の材料上に形成された第４の材料と、を備え、第１の材料が、光導波路内で入射光の内部全反射の一部分をフラストレートするように第１の材料内に埋め込まれた光散乱粒子を有し、第４の材料が、光導波路内で入射光の内部全反射の一部分をフラストレートするように第４の材料内に埋め込まれた光散乱粒子を有する。
【０３４７】
光導波路は、第１の屈折率を有し、第１の材料は、第２の屈折率を有し、第１の屈折率が、第２の屈折率に実質的に等しい。
【０３４８】
光導波路は、第１の屈折率を有し、第３の材料は、第２の屈折率を有し、第１の屈折率が、第２の屈折率に実質的に等しい。
【０３４９】
第１の材料は、マーキング材料であり得、第４の材料は、マーキング材料であり得る。
【０３５０】
第１の材料は、白色のマーキング材料であり得、第４の材料は、白色のマーキング材料であり得る。
【０３５１】
第２の材料は、マーキング材料であり得、第３の材料は、マーキング材料であり得る。
【０３５２】
第２の材料は、白色ではない有色のマーキング材料であり得、第３の材料は、白色ではない有色のマーキング材料であり得る、請求項１２に記載のディスプレイ機器。
【０３５３】
光波上に印刷された画像の画像特定照明を可能にするディスプレイ機器構成要素を製造するためのプロセスであって、（ａ）表面を有する光導波路の一部分上に第１の材料を形成することであって、第１の材料が、光散乱性を有する、形成することと、（ｂ）第１の材料上に第２の材料を形成することと、を含む。
【０３５４】
光導波路は、第１の屈折率を有し、第１の材料は、第２の屈折率を有し、第１の屈折率が、第２の屈折率に実質的に等しい。
【０３５５】
第２の材料は、第３の屈折率を有し、第２の屈折率が、第３の屈折率に実質的に等しい。
【０３５６】
第１の材料は、白色のマーキング材料であり得る。
【０３５７】
第１の材料は、インクジェット印刷機器によって形成され得る。
【０３５８】
第１の材料は、電子写真トナー印刷機器によって形成され得る。
【０３５９】
第１の材料は、固体インク印刷機器によって形成され得る。
【０３６０】
第２の材料は、白色ではない有色のマーキング材料であり得る。
【０３６１】
第２の材料は、インクジェット印刷機器によって形成され得る。
【０３６２】
第２の材料は、電子写真トナー印刷機器によって形成され得る。
【０３６３】
第２の材料は、固体インク印刷機器によって形成され得る。
【０３６４】
光波上に印刷された画像の画像特定照明を可能にするディスプレイ機器構成要素を製造するためのプロセスは、（ａ）表面を有する光導波路の一部分上に第１の材料を形成することであって、第１の材料が、その中に埋め込まれた光散乱粒子を有する、形成することと、（ｂ）第１の材料上に第２の材料を形成することと、を含む。
【０３６５】
光導波路は、第１の屈折率を有し、第１の材料は、第２の屈折率を有し、第１の屈折率が、第２の屈折率に実質的に等しい。
【０３６６】
第１の材料は、白色のマーキング材料であり得る。
【０３６７】
第１の材料は、インクジェット印刷機器によって形成され得る。
【０３６８】
第２の材料は、白色ではない有色のマーキング材料であり得る。
【０３６９】
第２の材料は、インクジェット印刷機器によって形成され得る。
【０３７０】
光波上に印刷された画像の画像特定照明を可能にするディスプレイ機器構成要素を製造するためのプロセスは、（ａ）表面及び光源境界面を有する光導波路上に第１の材料を形成することであって、第１の材料が、その中に埋め込まれた光散乱粒子を有し、第１の材料が、様々な光散乱粒子体積密度を有し、光散乱粒子体積密度が、光源境界から離れる距離が増加するにつれて表面上で比例して増加する、形成することと、（ｂ）第１の材料上に第２の材料を形成することと、を含む。
【０３７１】
第１の材料は、白色のマーキング材料であり得る。
【０３７２】
第２の材料は、白色ではない有色のマーキング材料であり得る。
【０３７３】
光波上に印刷された画像の画像特定照明を可能にするディスプレイ機器構成要素を製造するためのプロセスは、（ａ）表面を有する光導波路の一部分上に第１の材料を形成することと、（ｂ）第１の材料上に第２の材料を形成することであって、第２の材料が、光散乱性を有する、形成することと、を含む。
【０３７４】
光導波路は、第１の屈折率を有し、第１の材料は、第２の屈折率を有し、第１の屈折率が、第２の屈折率に実質的に等しい。
【０３７５】
第２の材料は、第３の屈折率を有し、第２の屈折率が、第３の屈折率に実質的に等しい。
【０３７６】
第２の材料は、白色のマーキング材料であり得る。
【０３７７】
第２の材料は、インクジェット印刷機器によって形成され得る。
【０３７８】
第２の材料は、電子写真トナー印刷機器によって形成され得る。
【０３７９】
第２の材料は、固体インク印刷機器によって形成され得る。
【０３８０】
第１の材料は、白色ではない有色のマーキング材料であり得る。
【０３８１】
第１の材料は、インクジェット印刷機器によって形成され得る。
【０３８２】
第１の材料は、電子写真トナー印刷機器によって形成され得る。
【０３８３】
第１の材料は、固体インク印刷機器によって形成され得る。
【０３８４】
光波上に印刷された画像の画像特定照明を可能にするディスプレイ機器構成要素を製造するためのプロセスは、（ａ）表面を有する光導波路の一部分上に第１の材料を形成することと、（ｂ）第１の材料上に第２の材料を形成することであって、第２の材料が、その中に埋め込まれた光散乱粒子を有する、形成することと、を含む。
【０３８５】
光導波路は、第１の屈折率を有し、第１の材料は、第２の屈折率を有し、第１の屈折率が、第２の屈折率に実質的に等しい。
【０３８６】
第２の材料は、白色のマーキング材料であり得る。
【０３８７】
第２の材料は、インクジェット印刷機器によって形成され得る。
【０３８８】
第１の材料は、白色ではない有色のマーキング材料であり得る。
【０３８９】
第１の材料は、インクジェット印刷機器によって形成され得る。
【０３９０】
第１の表面及び第２の表面を有する光波上に印刷された画像の画像特定照明を可能にするディスプレイ機器構成要素を製造するためのプロセスは、（ａ）光導波路の第１の表面の一部分上に第１の材料を形成することであって、第１の材料が光散乱性を有する、形成することと、（ｂ）第１の材料上に第２の材料を形成することと、（ｃ）光導波路の第２の表面の一部分上に第３の材料を形成することと、（ｄ）第３の材料上に第４の材料を形成することであって、第４の材料が光散乱性を有する、形成することと、を含む。
【０３９１】
光導波路は、第１の屈折率を有し、第１の材料は、第２の屈折率を有し、第１の屈折率が、第２の屈折率に実質的に等しい。
【０３９２】
第２の材料は、第３の屈折率を有し、第２の屈折率が、第３の屈折率に実質的に等しい。
【０３９３】
第１の材料は、白色のマーキング材料であり得、第４の材料は、白色のマーキング材料であり得る。
【０３９４】
第１の材料は、インクジェット印刷機器によって形成され得、第４の材料は、インクジェット印刷機器によって形成され得る。
【０３９５】
第１の材料は、電子写真トナー印刷機器によって形成され得、第４の材料は、電子写真トナー印刷機器によって形成され得る。
【０３９６】
第１の材料は、固体インク印刷機器によって形成され得、第４の材料は、固体インク印刷機器によって形成され得る。
【０３９７】
第２の材料は、白色ではない有色のマーキング材料であり得、第３の材料は、白色ではない有色のマーキング材料であり得る。
【０３９８】
第２の材料は、インクジェット印刷機器によって形成され得、第３の材料は、インクジェット印刷機器によって形成され得る。
【０３９９】
第２の材料は、電子写真トナー印刷機器によって形成され得、第３の材料は、電子写真トナー印刷機器によって形成され得る。
【０４００】
第２の材料は、固体インク印刷機器によって形成され得、第３の材料は、固体インク印刷機器によって形成され得る。
【０４０１】
光波上に印刷された画像の画像特定照明を可能にするディスプレイ機器構成要素を製造するためのプロセスは、（ａ）光導波路の第１の表面の一部分上に第１の材料を形成することであって、第１の材料が、その中に埋め込まれた光散乱粒子を有する、形成することと、（ｂ）第１の材料上に第２の材料を形成することと、（ｃ）光導波路の第２の表面の一部分上に第３の材料を形成することと、（ｄ）第３の材料上に第４の材料を形成することであって、第４の材料が、その中に埋め込まれた光散乱粒子を有する、形成することと、を含む。
【０４０２】
光導波路は、第１の屈折率を有し、第１の材料は、第２の屈折率を有し、第１の屈折率が、第２の屈折率に実質的に等しい。
【０４０３】
第１の材料は、インクジェット印刷機器によって形成され得、第４の材料は、インクジェット印刷機器によって形成され得る。
【０４０４】
第１の材料は、電子写真トナー印刷機器によって形成され得、第４の材料は、電子写真トナー印刷機器によって形成され得る。
【０４０５】
第１の材料は、固体インク印刷機器によって形成され得、第４の材料は、固体インク印刷機器によって形成され得る。
【０４０６】
第２の材料は、インクジェット印刷機器によって形成され得、第３の材料は、インクジェット印刷機器によって形成され得る。
【０４０７】
第２の材料は、電子写真トナー印刷機器によって形成され得、第３の材料は、電子写真トナー印刷機器によって形成され得る。
【０４０８】
第２の材料は、固体インク印刷機器によって形成され得、第３の材料は、固体インク印刷機器によって形成され得る。
【０４０９】
ディスプレイ機器構成要素は、表面を有する光導波路と、光導波路の表面の一部分上に形成された第１の材料と、光導波路の表面に隣接する第１の表面及び光導波路の表面から離れた第２の表面を有する第１の材料と、を備え、第２の表面が、光導波路内で内部反射される光の一部分をフラストレートするように非平滑である。
【０４１０】
ディスプレイ機器構成要素は、光導波路の表面の一部分上に形成された第２の材料をさらに備え得、第２の材料が、光導波路の表面に隣接する第３の表面ならびに光導波路の表面及び第２の表面から離れた第４の表面を有し、第４の表面が、光導波路内で内部反射される光の一部分をフラストレートするように非平滑である。
【０４１１】
第１の材料は、マーキング材料であり得る。
【０４１２】
第２の材料は、マーキング材料であり得る。
【０４１３】
第１の材料は、白色ではない有色のマーキング材料であり得る。
【０４１４】
第２の材料は、第１の材料の色とは異なる色を有する白色ではない有色のマーキング材料であり得る。
【０４１５】
第１の材料は、第１の白色ではない有色のマーキング材料であり得、第２の材料は、第２の白色ではない有色のマーキング材料であり得、第１の白色ではない有色のマーキング材料が、第２の白色ではない有色のマーキング材料の色とは異なる色を有する。
【０４１６】
第１の材料は、インクであり得る。
【０４１７】
第１の材料は、トナーであり得る。
【０４１８】
ディスプレイ機器は、表面及び光源境界面を有する光導波路と、光源であって、光源が、光導波路内で入射光の内部全反射を提供する入射角で光源境界面上に光を導く、光源と、光導波路の表面の一部分上に形成された第１の材料と、を備え、第１の材料が、光導波路の表面に隣接する第１の表面及び光導波路の表面から離れた第２の表面を有し、第２の表面が、光導波路内で内部全反射される入射光の一部分をフラストレートするように非平滑である。
【０４１９】
ディスプレイ機器は、光導波路の表面の一部分上に形成された第２の材料をさらに備え得、第２の材料が、光導波路の表面に隣接する第３の表面ならびに光導波路の表面及び第２の表面から離れた第４の表面を有し、第４の表面が、光導波路内で内部全反射される入射光の一部分をフラストレートするように非平滑である。
【０４２０】
第１の材料は、マーキング材料であり得る。
【０４２１】
第２の材料は、マーキング材料であり得る。
【０４２２】
第１の材料は、白色ではない有色のマーキング材料であり得る。
【０４２３】
第２の材料は、第１の材料の色とは異なる色を有する白色ではない有色のマーキング材料であり得る。
【０４２４】
第１の材料は、第１の白色ではない有色のマーキング材料であり得、第２の材料は、第２の白色ではない有色のマーキング材料であり得、第１の白色ではない有色のマーキング材料が、第２の白色ではない有色のマーキング材料の色とは異なる色を有する。
【０４２５】
第１の材料は、インクであり得る。
【０４２６】
第１の材料は、トナーであり得る。
【０４２７】
光波上に印刷された画像の画像特定照明を可能にするディスプレイ機器構成要素を製造するためのプロセスは、（ａ）光導波路の表面の一部分上に第１の材料を形成することであって、第１の材料が、光導波路の表面に隣接する第１の表面及び光導波路の表面から離れた第２の表面を有し、第２の表面が、光導波路内で内部反射される光の一部分をフラストレートするように非平滑である、形成することを含む。
【０４２８】
第１の材料は、印刷プロセスを使用して光導波路の表面の一部分上に形成され得、非平滑な第２の表面が、第１の材料を使用して光導波路上にハーフトーン画像を印刷することによって形成される。
【０４２９】
ディスプレイ機器は、第１の表面、第２の表面、及び第１の光源境界面を有する第１の光導波路と、第３の表面、第４の表面、及び第２の光源境界面を有する第２の光導波路と、光源であって、光源が、第１の光導波路内で入射光の内部全反射を提供する入射角で第１の光源境界面上に光を導き、光源が、第２の光導波路内で入射光の内部全反射を提供する入射角で第２の光源境界面上に光を導く、光源と、第１の光導波路の第１の表面の一部分上に形成された第１の材料と、第１の材料上に形成された第２の材料と、第１の光導波路の第２の表面の一部分上に形成された第３の材料と、第３の材料上に形成された第４の材料と、を備え、第１の材料が、第１の光導波路内で入射光の内部全反射の一部分をフラストレートするように光散乱性を有し、第４の材料が、第１の光導波路内で入射光の内部全反射の一部分をフラストレートするように光散乱性を有し、ディスプレイ機器は、第２の光導波路の第３の表面の一部分上に形成された第５の材料と、第５の材料上に形成された第６の材料と、第２の光導波路の第４の表面の一部分上に形成された第７の材料と、第７の材料上に形成された第８の材料と、を備え、第５の材料が、第２の光導波路内で入射光の内部全反射の一部分をフラストレートするように光散乱性を有し、第８の材料が、第２の光導波路内で入射光の内部全反射の一部分をフラストレートするように光散乱性を有する。
【０４３０】
第１の光導波路は、第２の光導波路から離間され得る。
【０４３１】
第１の光導波路と第２の光導波路との間の距離は、第１の光導波路の厚さの半分に等しいものであり得る。
【０４３２】
第１の光導波路は、第２の光導波路に対して平行であり得る。
【０４３３】
ディスプレイ機器は、複数の光導波路であって、各光導波路が、前面、後面、及び光源境界面を有する、光導波路と、光源であって、光源が、各光導波路内で入射光の内部全反射を提供する入射角で各光導波路の光源境界面上に光を導く、光源と、を備え、各光導波路が、各光導波路上に形成された、各光導波路の前面の一部分上に形成された第１の材料を有し、第１の材料が、光導波路内で入射光の内部全反射の一部分をフラストレートするように光散乱性を有し、各光導波路が、第１の材料上に形成された第２の材料を有し、各光導波路が、各光導波路上に形成された、各光導波路の後面の一部分上に形成された第３の材料を有し、各光導波路が、第３の材料上に形成された第４の材料を有し、第４の材料が、光導波路内で入射光の内部全反射の一部分をフラストレートするように光散乱性を有する。
【０４３４】
各光導波路間の距離は、光導波路の数で除算された光導波路の厚さに等しいものであり得る。
【０４３５】
各光導波路は、互いに平行であり得る。
【０４３６】
ディスプレイ機器は、複数の光導波路であって、各光導波路が、前面、後面、及び光源境界面を有する光導波路と、光源であって、光源が、各光導波路内で入射光の内部全反射を提供する入射角で各光導波路の光源境界面上に光を導く、光源と、を備え、各光導波路が、各光導波路上に形成された、各光導波路の前面の一部分上に形成された第１の材料を有し、第１の材料が、光導波路の表面に隣接する第１の表面及び光導波路の表面から離れた第２の表面を有し、第２の表面が、光導波路内で内部全反射される光の一部分をフラストレートするように非平滑である。
【０４３７】
各光導波路間の距離は、光導波路の数で除算された光導波路の厚さに等しいものであり得る。
【０４３８】
各光導波路は、互いに平行であり得る。
【０４３９】
ディスプレイ機器構成要素は、第１の表面及び第２の表面を有する第１の光導波路と、第３の表面及び第４の表面を有する第２の光導波路と、第１の光導波路の第１の表面の一部分上に形成された第１の材料と、第１の材料上に形成された第２の材料と、第１の光導波路の第２の表面の一部分上に形成された第３の材料と、第３の材料上に形成された第４の材料と、を備え、第１の材料が、第１の光導波路内で入射光の内部全反射の一部分をフラストレートするように光散乱性を有し、第４の材料が、第１の光導波路内で入射光の内部全反射の一部分をフラストレートするように光散乱性を有し、ディスプレイ機器構成要素は、第２の光導波路の第３の表面の一部分上に形成された第５の材料と、第５の材料上に形成された第６の材料と、第２の光導波路の第４の表面の一部分上に形成された第７の材料と、第７の材料上に形成された第８の材料と、を備え、第５の材料が、第２の光導波路内で入射光の内部全反射の一部分をフラストレートするように光散乱性を有し、第８の材料が、第２の光導波路内で入射光の内部全反射の一部分をフラストレートするように光散乱性を有する。
【０４４０】
第１の光導波路は、第２の光導波路から離間され得る。
【０４４１】
第１の光導波路と第２の光導波路との間の距離は、第１の光導波路の厚さの半分に等しいものであり得る。
【０４４２】
第１の光導波路は、第２の光導波路に対して平行であり得る。
【０４４３】
ディスプレイ機器構成要素は、複数の光導波路であって、各光導波路が、前面及び後面を有する、光導波路を備え、各光導波路が、各光導波路上に形成された、各光導波路の前面の一部分上に形成された第１の材料を有し、第１の材料が、光導波路内で入射光の内部全反射の一部分をフラストレートするように光散乱性を有し、各光導波路が、第１の材料上に形成された第２の材料を有し、各光導波路が、各光導波路上に形成された、各光導波路の後面の一部分上に形成された第３の材料を有し、各光導波路が、第３の材料上に形成された第４の材料を有し、第４の材料が、光導波路内で入射光の内部全反射の一部分をフラストレートするように光散乱性を有する。
【０４４４】
各光導波路間の距離は、光導波路の数で除算された光導波路の厚さに等しいものであり得る。
【０４４５】
各光導波路は、互いに平行であり得る。
【０４４６】
ディスプレイ機器構成要素は、複数の光導波路であって、各光導波路が、前面及び後面を有する、光導波路を備え、各光導波路が、各光導波路上に形成された、各光導波路の前面の一部分上に形成された第１の材料を有し、第１の材料が、光導波路の表面に隣接する第１の表面及び光導波路の表面から離れた第２の表面を有し、第２の表面が、光導波路内で内部反射される光の一部分をフラストレートするように非平滑であり、各光導波路が、各光導波路上に形成された、各光導波路の後面の一部分上に形成された第２の材料を有し、各光導波路が、第２の材料上に形成された第３の材料を有し、第３の材料が、光導波路内で入射光の内部全反射の一部分をフラストレートするように光散乱性を有する。
【０４４７】
各光導波路間の距離は、光導波路の数で除算された光導波路の厚さに等しいものであり得る。
【０４４８】
各光導波路は、互いに平行であり得る。
【０４４９】
ディスプレイ機器構成要素は、複数の光導波路を備え、各光導波路が、前面及び後面を有し、各光導波路が、その上に形成された、各光導波路の前面の一部分上に形成された第１の材料を有し、第１の材料が、光導波路内で入射光の内部全反射の一部分をフラストレートするように光散乱性を有し、各光導波路が、第１の材料上に形成された第２の材料を有する。
【０４５０】
各光導波路間の距離は、光導波路の数で除算された光導波路の厚さに等しいものであり得る。
【０４５１】
各光導波路は、互いに平行であり得る。
【０４５２】
ディスプレイ機器構成要素は、複数の光導波路を備え、各光導波路が、前面及び後面を有し、各光導波路が、その上に形成された、各光導波路の後面の一部分上に形成された第１の材料を有し、各光導波路が、第１の材料上に形成された第２の材料を有し、第２の材料が、光導波路内で入射光の内部全反射の一部分をフラストレートするように光散乱性を有する。
【０４５３】
各光導波路間の距離は、光導波路の数で除算された光導波路の厚さに等しいものであり得る。
【０４５４】
各光導波路は、互いに平行であり得る。
【０４５５】
ディスプレイ機器構成要素は、複数の光導波路を備え、各光導波路が、前面及び後面を有し、各光導波路が、その上に形成された、各光導波路の前面の一部分上に形成された第１の材料を有し、第１の材料が、光導波路の表面に隣接する第１の表面及び光導波路の表面から離れた第２の表面を有し、第２の表面が、光導波路内で内部反射される光の一部分をフラストレートするように非平滑である。
【０４５６】
各光導波路間の距離は、光導波路の数で除算された光導波路の厚さに等しいものであり得る。
【０４５７】
各光導波路は、互いに平行であり得る。
【０４５８】
ディスプレイ機器構成要素は、第１の表面及び第２の表面を有する光導波路と、光導波路の第１の表面の一部分上に形成された第１の材料と、第１の材料の一部分上に形成された第２の材料と、光導波路の第２の表面の一部分上に形成された第３の材料と、を備え、第３の材料が、光導波路の第２の表面に隣接する第１の表面及び光導波路の第２の表面から離れた第２の表面を有し、第２の表面が、光導波路内で内部反射される光の一部分をフラストレートするように非平滑であり、第２の材料が、光散乱性を有する。
【０４５９】
第１の材料は、マーキング材料であり得、第３の材料は、マーキング材料であり得る。
【０４６０】
第２の材料は、白色のマーキング材料であり得る。
【０４６１】
白色のマーキング材料は、インクであり得る。
【０４６２】
白色のマーキング材料は、トナーであり得る。
【０４６３】
第１の材料は、白色ではない有色のマーキング材料であり得、第３の材料は、白色ではない有色のマーキング材料であり得る。
【０４６４】
白色ではない有色のマーキング材料は、インクであり得る。
【０４６５】
白色ではない有色のマーキング材料は、トナーであり得る。
【０４６６】
ディスプレイ機器構成要素は、第１の表面及び第２の表面を有する光導波路と、光導波路の第１の表面の一部分上に形成された第１の材料と、第１の材料の一部分上に形成された第２の材料と、光導波路の第２の表面の一部分上に形成された第３の材料と、を備え、第３の材料が、光導波路の第２の表面に隣接する第１の表面及び光導波路の第２の表面から離れた第２の表面を有し、第２の表面が、光導波路内で内部反射される光の一部分をフラストレートするように非平滑であり、第２の材料が、その中に埋め込まれた光散乱粒子を有する。
【０４６７】
第１の材料は、マーキング材料であり得、第３の材料は、マーキング材料であり得る。
【０４６８】
第２の材料は、白色のマーキング材料であり得る。
【０４６９】
白色のマーキング材料は、インクであり得る。
【０４７０】
白色のマーキング材料は、トナーであり得る。
【０４７１】
第１の材料は、白色ではない有色のマーキング材料であり得、第３の材料は、白色ではない有色のマーキング材料であり得る。
【０４７２】
白色ではない有色のマーキング材料は、インクであり得る。
【０４７３】
白色ではない有色のマーキング材料は、トナーであり得る。
【０４７４】
ディスプレイ機器構成要素は、複数の光導波路であって、各光導波路が、前面及び後面を有する、光導波路を備え、各光導波路が、各光導波路上に形成された、各光導波路の前面の一部分上に形成された第１の材料を有し、第１の材料が、光導波路の表面に隣接する第１の表面及び光導波路の表面から離れた第２の表面を有し、第２の表面が、光導波路内で内部反射される光の一部分をフラストレートするように非平滑であり、各光導波路が、各光導波路上に形成された、各光導波路の後面の一部分上に形成された第２の材料を有し、各光導波路が、第２の材料上に形成された第３の材料を有し、第３の材料が、光導波路内で入射光の内部全反射の一部分をフラストレートするように光散乱性を有する。
【０４７５】
第１の材料は、マーキング材料であり得、第２の材料は、マーキング材料であり得る。
【０４７６】
第３の材料は、白色のマーキング材料であり得る。
【０４７７】
白色のマーキング材料は、インクであり得る。
【０４７８】
ディスプレイ機器構成要素は、前面及び後面を有する光導波路と、光導波路の後面上に形成された第１の材料と、第１の材料上に形成された第２の材料であって、第２の材料が、光導波路内で内部全反射された光の一部分をフラストレートするように光散乱性を有する、第２の材料と、光導波路の前面上に形成された第３の材料であって、第３の材料が、光導波路の前面に隣接する第１の表面及び光導波路の前面から離れた第２の表面を有し、第２の表面が、光導波路内で内部反射される光の一部分をフラストレートするように非平滑である、第３の材料と、を備える。
【０４７９】
第１の材料は、白色ではないマーキング材料であり得る。
【０４８０】
第２の材料は、白色のマーキング材料であり得る。
【０４８１】
第３の材料は、白色ではない有色のマーキング材料であり得る。
【０４８２】
第３の材料は、第１の材料の色とは異なる色を有する白色ではない有色のマーキング材料であり得る。
【０４８３】
ディスプレイ機器構成要素は、前面及び後面を有する光導波路と、光導波路の後面の一部分上に形成された第１の材料であって、第１の材料が、光導波路内で内部全反射された光の一部分をフラストレートするように光散乱性を有する、第１の材料と、光導波路の前面上に形成された第２の材料であって、第２の材料が、光導波路内で内部全反射された光の一部分をフラストレートするように光散乱性を有する、第２の材料と、を備える。
【０４８４】
第１の材料は、白色のマーキング材料であり得る。
【０４８５】
第２の材料は、白色のマーキング材料であり得る。
【０４８６】
ディスプレイ機器構成要素は、前面及び後面を有する光導波路と、光導波路材料の前面の一部分上に形成された第１の材料であって、第１の材料が、光導波路内で内部全反射された光の一部分をフラストレートするように光散乱性を有する、第１の材料と、第１の材料上に形成された第２の材料と、光導波路の後面上に形成された第３の材料であって、第３の材料が、光導波路内で内部全反射された光の一部分をフラストレートするように光散乱性を有する、第３の材料と、を備える。
【０４８７】
第１の材料は、白色のマーキング材料であり得る。
【０４８８】
第２の材料は、白色ではないマーキング材料であり得る。
【０４８９】
第３の材料は、白色の有色のマーキング材料であり得る。
【０４９０】
ディスプレイ機器構成要素は、前面及び後面を有する光導波路と、光導波路材料の前面の一部分上に形成された第１の材料と、光導波路の後面上に形成された第２の材料であって、第２の材料が、光導波路内で内部全反射された光の一部分をフラストレートするように光散乱性を有する、第２の材料と、を備える。
【０４９１】
第１の材料は、白色ではないマーキング材料であり得る。
【０４９２】
第２の材料は、白色のマーキング材料であり得る。
【０４９３】
ディスプレイ機器構成要素は、表面を有する光導波路と、第１の材料であって、第１の材料を有する複数の画像領域を作成するために光導波路の表面上に画像状様式で形成され、第１の材料が、光散乱性を有する、第１の材料と、を備え、複数の画像領域が、第１の材料の第１の密度を有する複数の画像領域の第１の部分集合及び第１の材料の第２の密度を有する複数の画像領域の第２の部分集合を含み、第１の材料の第１の密度が、異なる明るさのエリアを作成するために第１の材料の第２の密度に等しいものではない。
【０４９４】
第１の材料は、白色のマーキング材料であり得る。
【０４９５】
白色のマーキング材料は、インクであり得る。
【０４９６】
白色のマーキング材料は、トナーであり得る。
【０４９７】
ディスプレイ機器構成要素は、表面を有する光導波路と、第１の材料であって、第１の材料を有する複数の画像領域を作成するために光導波路の表面上に画像状様式で形成され、第１の材料が、その中に埋め込まれた光散乱粒子を有する、第１の材料と、を備え、複数の画像領域が、第１の材料の第１の密度を有する複数の画像領域の第１の部分集合及び第１の材料の第２の密度を有する複数の画像領域の第２の部分集合を含み、第１の材料の第１の密度が、異なる明るさのエリアを作成するために第１の材料の第２の密度に等しいものではない。
【０４９８】
第１の材料は、白色のマーキング材料であり得る。
【０４９９】
白色のマーキング材料は、インクであり得る。
【０５００】
白色のマーキング材料は、トナーであり得る。
【０５０１】
ディスプレイ機器構成要素は、表面を有する光導波路と、第１の材料であって、第１の材料を有する複数の画像領域を作成するために光導波路の表面上に画像状様式で形成され、第１の材料が、その中に埋め込まれた光散乱粒子を有し、各画像領域が、その中に形成された第１の材料のある量を有する、第１の材料と、を備え、第１の材料の量が、異なる明るさのエリアを作成するために各画像領域に対して調節される。
【０５０２】
第１の材料は、白色のマーキング材料であり得る。
【０５０３】
白色のマーキング材料は、インクであり得る。
【０５０４】
白色のマーキング材料は、トナーであり得る。
【０５０５】
エッジライト照明ディスプレイ内で利用される光導波路を作成及び再使用するためのプロセスは、（ａ）表面を有する光導波路の一部分上に第１のマーキング材料マーキングを形成することであって、第１のマーキング材料が、紫外線硬化インクであり、かつ光散乱性を有する、形成することと、（ｂ）第１のマーキング材料上に第２のマーキング材料を形成することと、（ｃ）第１のマーキング材料及び第２のマーキング材料を除去するために、溶剤を用いて、光導波路の表面を洗浄することと、を含む。
【０５０６】
溶剤は、アセトンであり得る。
【０５０７】
プロセスは、（ｄ）第１のマーキング材料及び第２のマーキング材料の除去を補助するために光導波路の表面を機械的に洗浄することをさらに含む。
【０５０８】
エッジライト照明ディスプレイ内で利用される光導波路を作成及び再使用するためのプロセスは、（ａ）表面を有する光導波路の一部分上に第１のマーキング材料マーキングを形成することであって、第１のマーキング材料が、紫外線インクであり、かつ光散乱性を有する、形成することと、（ｂ）第１のマーキング材料を除去するために、溶剤を用いて、光導波路の表面を洗浄することと、を含む。
【０５０９】
溶剤は、アセトンであり得る。
【０５１０】
プロセスは、（ｃ）第１のマーキング材料及び第２のマーキング材料の除去を補助するために光導波路の表面を機械的に洗浄することをさらに含む。
【０５１１】
エッジライト照明ディスプレイ内で利用される光導波路を作成及び再使用するためのプロセスは、（ａ）光導波路の表面の一部分上に第１のマーキング材料を形成することであって、第１のマーキング材料が、紫外線硬化インクであり、かつ光導波路の表面に隣接する第１の表面及び光導波路の表面から離れた第２の表面を有し、第２の表面が、光導波路内で内部全反射された光の一部分をフラストレートするように非平滑である、形成することと、（ｂ）第１のマーキング材料を除去するために、溶剤を用いて、光導波路の表面を洗浄することと、を含む。
【０５１２】
溶剤は、アセトンであり得る。
【０５１３】
プロセスは、（ｃ）第１のマーキング材料及び第２のマーキング材料の除去を補助するために光導波路の表面を機械的に洗浄することをさらに含む。
【０５１４】
光導波路の粗切断エッジを平滑化するためのプロセスは、（ａ）光導波路の屈折率に実質的に等しい屈折率を有する硬化流体を用いて光導波路の粗切断エッジをフラッドコーティングすることと、（ｂ）平滑エッジを作成するために流体を硬化することと、を含む。
【０５１５】
硬化流体は、クリアな紫外線硬化インクであり得る。硬化流体は、有色の紫外線硬化インクであり得る。
【０５１６】
光導波路の刻印エリアを平滑化するためのプロセスは、（ａ）光導波路の屈折率に実質的に等しい屈折率を有する硬化流体を用いて光導波路の刻印エリアをフラッドコーティングすることと、（ｂ）平滑表面を作成するために流体を硬化することと、を含む。
【０５１７】
硬化流体は、クリアな紫外線硬化インクであり得る。
【０５１８】
ディスプレイ機器構成要素は、表面を有する光導波路と、光導波路の表面に接着された除去可能な透明層と、除去可能な透明層の一部分上に形成された第１の材料と、第１の材料の一部分上に形成された第２の材料と、を備え、第１の材料が、その中に埋め込まれた光散乱粒子を有する。
【０５１９】
第１の材料は、紫外線硬化マーキング材料であり得、第２の材料は、紫外線硬化マーキング材料であり得る。
【０５２０】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５２１】
光導波路に接着された画像の画像特定照明を可能にするディスプレイ機器構成要素を製造するためのプロセスは、（ａ）除去可能な透明媒体の一部分上に第１の材料を形成することであって、第１の材料が、その中に埋め込まれた光散乱粒子を有する、形成することと、（ｂ）第１の材料上に第２の材料を形成することと、（ｃ）除去可能な透明媒体を光導波路の表面に接着することと、を含む。
【０５２２】
第１の材料は、紫外線硬化マーキング材料であり得、第２の材料は、紫外線硬化マーキング材料であり得る。
【０５２３】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５２４】
ディスプレイ機器構成要素は、表面を有する光導波路と、光導波路の表面に接着された除去可能な透明層と、除去可能な透明層の一部分上に形成された第１の材料と、第１の材料上に形成された第２の材料と、を備え、第２の材料が、その中に埋め込まれた光散乱粒子を有する。
【０５２５】
第１の材料は、紫外線硬化マーキング材料であり得、第２の材料は、紫外線硬化マーキング材料であり得る。
【０５２６】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５２７】
光導波路に接着された画像の画像特定照明を可能にするディスプレイ機器構成要素を製造するためのプロセスは、（ａ）除去可能な透明媒体の一部分上に第１の材料を形成することと、（ｂ）第１の材料上に第２の材料を形成することであって、第２の材料が、その中に埋め込まれた光散乱粒子を有する、形成することと、（ｃ）除去可能な透明媒体を光導波路の表面に接着することと、を含む。
【０５２８】
第１の材料は、紫外線硬化マーキング材料であり得、第２の材料は、紫外線硬化マーキング材料であり得る。
【０５２９】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５３０】
ディスプレイ機器構成要素は、表面を有する光導波路と、光導波路の表面に接着された除去可能な透明層と、除去可能な透明層の表面の一部分上に形成された第１の材料と、備え、第１の材料が、除去可能な透明層の表面に隣接する第１の表面及び除去可能な透明層の表面から離れた第２の表面を有し、第２の表面が、光導波路内で内部反射される光の一部分をフラストレートするように非平滑である。
【０５３１】
第１の材料は、紫外線硬化マーキング材料であり得、第２の材料は、紫外線硬化マーキング材料であり得る。
【０５３２】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５３３】
光導波路上に接着された画像の画像特定照明を可能にするディスプレイ機器構成要素を製造するためのプロセスは、（ａ）除去可能な透明媒体の表面の一部分上に第１の材料を形成することであって、第１の材料が、除去可能な透明媒体の表面に隣接する第１の表面及び除去可能な透明媒体の表面から離れた第２の表面を有し、第２の表面が、光導波路内で内部反射される光の一部分をフラストレートするように非平滑である、形成することと、（ｂ）除去可能な透明媒体を光導波路の表面に接着することと、を含む。
【０５３４】
第１の材料は、紫外線硬化マーキング材料であり得、第２の材料は、紫外線硬化マーキング材料であり得る。
【０５３５】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５３６】
ディスプレイ機器構成要素は、表面を有する光導波路と、光導波路の表面に接着された除去可能な透明層と、第１の材料であって、第１の材料を有する複数の画像領域を作成するために除去可能な透明層の表面上に画像状様式で形成され、第１の材料が、その中に埋め込まれた光散乱粒子を有する、第１の材料と、を備え、複数の画像領域が、第１の材料の第１の密度を有する複数の画像領域の第１の部分集合及び第１の材料の第２の密度を有する複数の画像領域の第２の部分集合を含み、第１の材料の第１の密度が、異なる明るさのエリアを作成するために第１の材料の第２の密度に等しいものではない。
【０５３７】
第１の材料は、紫外線硬化マーキング材料であり得、第２の材料は、紫外線硬化マーキング材料であり得る。
【０５３８】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５３９】
ディスプレイ機器構成要素は、表面を有する光導波路と、光導波路の表面に接着された除去可能な透明層と、第１の材料であって、第１の材料を有する複数の画像領域を作成するために除去可能な透明層の表面上に画像状様式で形成され、第１の材料が、その中に埋め込まれた光散乱粒子を有し、各画像領域が、その中に形成された第１の材料のある量を有する、第１の材料と、を備え、第１の材料の量が、異なる明るさのエリアを作成するために各画像領域に対して調節される。
【０５４０】
第１の材料は、紫外線硬化マーキング材料であり得、第２の材料は、紫外線硬化マーキング材料であり得る。
【０５４１】
除去可能な透明層は、内部全反射を支援するために光導波路と実質的に等しい屈折率を有するクリアな除去可能な透明媒体、または内部全反射を支援するために光導波路と実質的に等しい屈折率を有するクリアな除去可能な半透明媒体であり得る。除去可能な透明層は、内部全反射を支援するために光導波路と実質的に等しい屈折率を有する有色の除去可能な透明媒体、または内部全反射を支援するために光導波路と実質的に等しい屈折率を有する有色の除去可能な半透明媒体であり得る。
【０５４２】
様々な上記ならびに他の特徴及び機能、またはその代替例が、多くの他の異なるシステムまたはアプリケーションに組み込まれ得る。その中の様々な現在予期しないまたは想定外の代替例、変更例、変形例または改善例が、当分野の知識を有する者によって今後なされ得、これらの各々はまた、開示された実施形態によって包含されることが意図される。
【図１】
2019008284.tif 000008
【図２】
2019008284.tif 000009
【図３】
2019008284.tif 000010
【図４】
2019008284.tif 000011
【図５】
2019008284.tif 000012
【図６】
2019008284.tif 000013
【図７】
2019008284.tif 000014
【図８】
2019008284.tif 000015
【図９】
2019008284.tif 000016
【図１０】
2019008284.tif 000017
【図１１】
2019008284.tif 000018
【図１２】
2019008284.tif 000019
【図１３】
2019008284.tif 000020
【図１４】
2019008284.tif 000021
【図１５】
2019008284.tif 000022
【図１６】
2019008284.tif 000023
【図１７】
2019008284.tif 000024
【図１８】
2019008284.tif 000025
【図１９】
2019008284.tif 000026
【図２０】
2019008284.tif 000027
【図２１】
2019008284.tif 000028
【図２２】
2019008284.tif 000029
【図２３】
2019008284.tif 000030
【図２４】
2019008284.tif 000031
【図２５】
2019008284.tif 000032
【図２６】
2019008284.tif 000033
【図２７】
2019008284.tif 000034
【図２８】
2019008284.tif 000035
【図２９】
2019008284.tif 000036
【図３０】
2019008284.tif 000037
【図３１】
2019008284.tif 000038
【図３２】
2019008284.tif 000039
【図３３】
2019008284.tif 000040
【図３４】
2019008284.tif 000041
【図３５】
2019008284.tif 000042
【図３６】
2019008284.tif 000043
【図３７】
2019008284.tif 000044
【図３８】
2019008284.tif 000045
【図３９】
2019008284.tif 000046
【図４０】
2019008284.tif 000047
【図４１】
2019008284.tif 000048
【図４２】
2019008284.tif 000049
【図４３】
2019008284.tif 000050
【図４４】
2019008284.tif 000051
【図４５】
2019008284.tif 000052
【図４６】
2019008284.tif 000053
【図４７】
2019008284.tif 000054